(57)【要約】【課題】  遊技者が、確実なリプレイタイムの確保か、儲けを重視する挑戦かを選択することができる。【解決手段】  当せん内容を含む情報を報知する報知手段と、当せんが次回遊技に持ち越されることなく、対応する特定図柄の組合せが停止表示されることで継続する遊技回数が異なるリプレイタイムに移行する複数の特定役が設けられ、所定の特定役に当せんする抽せん対象が、複数設定されるとともに、他の特定役と同時に当せんする抽せん対象が少なくとも一つ設定され、各特定役に対応する各リールに表された図柄が、各特定の図柄の組合せが同時に停止表示されない所定の間隔をもって、配置され、報知手段が、所定の特定役に当せんした場合において、少なくとも当該所定の特定役に関する情報を報知する構成としてある。【選択図】  図１５
2009118992.tif 000002
【特許請求の範囲】
【請求項１】
スタート操作により数種類の図柄が表された複数のリールが回転を開始し、各リールに対応して設けられた停止ボタンの停止操作により回転する各リールが停止し、停止した各リールに表された図柄で構成される図柄の組合せに基づき遊技価値を付与するスロットマシンであって、
複数の抽せん対象から所定の抽せん確率に基づいてゲーム毎に内部抽せんを行い、抽せんされた当せん内容に対応した図柄の組合せを構成する図柄が停止操作のタイミングから所定の図柄コマ数内にある場合に、当せん内容に対応した図柄の組合せが停止表示されるように各リールを停止制御する停止制御手段と、
少なくとも通常遊技と、遊技媒体を投入することなく次回遊技可能となる再遊技役が高確率で抽せんされる再遊技高確率遊技と、を含む複数の遊技状態に移行させるゲーム管理手段と、
前記当せん内容を含む情報を報知する報知手段と、を備え、
当せんが次回遊技に持ち越されることなく、当せんした遊技限りにおいて、対応する特定の図柄の組合せが停止表示されることで継続する遊技回数が各々異なる前記再遊技高確率遊技に移行する複数の特定役が設けられ、
前記複数の特定役のうち一又は二以上の所定の特定役に当せんする抽せん対象が、複数設定されるとともに、前記所定の特定役に当せんする複数の抽せん対象のうち少なくとも一の抽せん対象は、当該所定の特定役と当該所定の特定役以外の一以上の他の特定役とに同時に当せんする抽せん対象として設定され、
前記各特定役に対応する特定の図柄の組合せを構成する各リールに表された図柄が、当該各特定役に対応する特定の図柄の組合せが同時に停止表示されない所定の間隔をもって、配置され、
前記報知手段が、前記所定の特定役に当せんする抽せん対象に当せんした場合において、少なくとも当該所定の特定役に関する情報を報知することを特徴とするスロットマシン。
【請求項２】
前記所定の特定役に対応する特定の図柄の組合せが停止表示されることで移行する前記再遊技高確率遊技の継続する遊技回数が、前記他の特定役に対応する特定の図柄の組合せが停止表示されることで移行する前記再遊技高確率遊技の継続する遊技回数より少なく設定される請求項１記載のスロットマシン。
【請求項３】
前記各特定役に対応する特定の図柄の組合せを構成する各リールに表された図柄が、前記所定の図柄コマ数を超える間隔をもって、各リールにおいて配置される請求項１又は２記載のスロットマシン。
【請求項４】
前記報知手段が、前記所定の特定役に当せんしない抽せん対象に当せんした場合、前記所定の特定役に関する情報を報知しない請求項１〜３のいずれか一項に記載のスロットマシン。
【請求項５】
前記報知手段が、前記所定の特定役に当せんする抽せん対象に当せんした場合において、当該所定の特定役に関する情報と前記他の特定役に関する情報を報知する請求項１〜４のいずれか一項に記載のスロットマシン。
【請求項６】
前記報知手段が、所定の遊技条件が成立後、当せんした特定役に関する情報のみ報知する請求項１〜５のいずれか一項に記載のスロットマシン。
【請求項７】
前記所定の遊技条件の成立は、前記所定の特定役に当せんする抽せん対象に当せんし、かつ、当該所定の特定役に対応する特定の図柄の組合せが停止表示されない場合を少なくとも含む請求項６記載のスロットマシン。
【請求項８】
対応する図柄の組合せの停止表示により次回の一の遊技が特別な遊技状態となる特別役が設けられ、
前記再遊技役に対応する図柄の組合せを構成する各リールに表された図柄が、前記図柄コマ数の最大値を超えない間隔をもって、各リールにおいて配置され、
前記通常遊技においては、前記特別役と前記再遊技役は、当該特別役と当該再遊技役とに同時に当せんする抽せん対象として設けられるとともに、当該抽せん対象に当せんした場合に、前記停止制御手段が、前記再遊技役に対応する図柄の組合せが優先して停止表示されるように各リールを停止制御し、
前記再遊技高確率遊技においては、前記特別役と前記再遊技役は、各々独立して当せんする抽せん対象として設けられる請求項１〜７のいずれか一項に記載のスロットマシン。
【発明の詳細な説明】
【技術分野】
【０００１】
本発明は、遊技媒体を投入後、スタート操作により回転を開始する複数のリール（回胴）を、停止操作により停止させ、各リールに付された絵柄，文字等の図柄が有効ライン上で所定の図柄の組合せで表示されることによって、表示された図柄の組合せに応じた遊技媒体を獲得できるスロットマシン（回胴式遊技機）に関し、特に、特定の図柄の組合せの停止表示によって、遊技媒体を投入することなく次回遊技可能となる再遊技役が高確率で抽せんされるリプレイタイムに移行するスロットマシンに関する。
【背景技術】
【０００２】
一般に、スロットマシンは、遊技者が遊技媒体となる遊技用のメダル（コイン）や遊技球（パチンコ球）を投入してスタートレバーを押下することにより、外周面に所定の絵柄や数字，文字等の図柄が表された複数のリール（通常３個のリール）が回転を開始し、定速回転後、任意のタイミングで停止ボタンが押されることでリールが停止し、停止表示されたリール上の図柄の組合せに応じて所定数の遊技媒体が払い出される遊技機である。
【０００３】
このようなスロットマシンでは、一遊技毎にスタートレバーの操作のタイミングで、所定の抽せん確率に基づいて、内部抽せんが行われる。内部抽せんの結果、複数の抽せん対象から今回の遊技の当せん内容が決定され、当せん内容に対応した図柄の組合せで停止表示されるように、停止ボタンの押下タイミングに基づき、各リールが停止制御されるようになっている。
そして、内部抽せんにおける抽せん対象には、対応する停止表示されるリール上の図柄の組合せにより、遊技者に対して遊技価値が付与される抽せん対象と、なんら遊技価値が付与されない抽せん対象であるハズレがある。遊技者に対して遊技価値が付与される抽せん対象は、役と呼ばれ、対応する停止表示されるリール上の図柄の組合せにより、遊技媒体が付与される、いわゆる「入賞」となって、数枚のメダルが獲得される「小役」、遊技媒体は付与されないが、次回遊技において、メダルを投入することなく遊技可能となる「再遊技役」、所定の小役が連続して当せんする特別な遊技状態であるボーナス遊技に移行する条件となる「ボーナス役」、次回の一遊技が内部抽せんに基づく停止制御によらず、所定の小役の成立が容易になる特別な遊技状態に移行する「ＳＣＴ（シングルチャレンジタイム）」、次回の一遊技が所定の小役が高確率で当せんする特別な遊技状態に移行する「ＳＢ（シングルボーナス）」などがある。
これらの抽せん対象が抽せんされる抽せん確率は、通常、ハズレが頻出するとともに、小役、再遊技役などが時折発生し、ボーナス役が稀に発生するように設定されている。したがって、遊技状態のうちの大半は、ハズレや小役、再遊技役が発生する通常遊技が占めることになり、遊技者は、このような通常遊技において、ボーナス役の当せんを期待しつつ、スロットマシン遊技を進行させている。
【０００４】
近年のスロットマシンにおいては、上記の通常遊技、ボーナス遊技などの他に、遊技者に有利となるその他の遊技状態が設定されているスロットマシンもある。
遊技者に有利となる遊技状態としては、上記の再遊技役が高確率で発生し、再遊技が頻出する状態（再遊技高確率遊技）が継続する、いわゆる「リプレイタイム（ＲＴ）」（以下、再遊技高確率遊技をリプレイタイムと称し、必要に応じて再遊技高確率遊技を使用する）と呼ばれる遊技状態が知られている。
リプレイタイムでは、再遊技役が高確率で発生することから、再遊技役に当せんする度にメダルを投入することなく次回遊技可能となるため、その分投入するメダルの量も抑えられ、遊技者への負担が、通常遊技より軽減され、遊技者に有利な遊技状態となっている。
【０００５】
以上のような複数の遊技状態は、通常遊技を基本の遊技状態として、一定の条件が成立することで順次遷移するようになっている。
例えば、通常遊技からリプレイタイムに移行する条件には、ボーナス遊技の終了後や、特定の図柄の組合せ（以下、特定図柄の組合せという。）の停止表示などがある。
このような条件が成立することで、所定の遊技の間、リプレイタイムが継続するようになっている。
中には、電源投入時から、リプレイタイムに移行し、特定図柄の組合せの停止表示により、通常遊技に移行するスロットマシンもある（例えば、特許文献１）。
【０００６】
上記の条件のうち、特定図柄の組合せの停止表示により、リプレイタイムに移行する場合では、内部抽せんにおいて、特定図柄の組合せが停止表示されることになる特定役に当せんするとともに、回転中の各リールにおいて特定図柄の組合せを構成する図柄を注視しつつ、停止させる、いわゆる「目押し」を行うことで、特定図柄の組合せを停止表示させる仕様のスロットマシンがある。
このような特定役は、今回の遊技限りにおいて当せんが有効な役であって、当該特定役に当せんしても、対応する特定図柄の組合せが停止表示されないときには、次回の遊技では、当該当せんが無効となる、いわゆる「フラグの持ち越し」ができない役となっている。
特定役に当せんしたにも拘わらず、対応する特定図柄の組合せが停止表示されないときには、前述したような有利な遊技状態（リプレイタイム）を享受することができないため、遊技者は、「目押し」に失敗し、対応する特定図柄の組合せが停止表示されない、いわゆる「取りこぼし」とならないように、慎重に「目押し」を行う。
【０００７】
さらに、このようなスロットマシンでは、特定役と対応する特定図柄の組合せを複数設け、停止表示される特定図柄の組合せにより、継続する遊技回数の異なるリプレイタイムに移行する仕様を有するものもあり、中には、当せんした特定役を特定せずに報知し、当せんした特定役を遊技者に予測させ、停止表示させる特定図柄の組合せを遊技者に選択させるものも見受けられる。
このような仕様の場合、遊技者は当せんした特定役を予測し、予測した特定役に対応する図柄の組合せを構成する図柄を「目押し」するため、スリル感のある遊技を楽しめるようになっている。
【０００８】
【特許文献１】特開２００７−３７８７６号公報
【発明の開示】
【発明が解決しようとする課題】
【０００９】
しかしながら、このように複数の特定役を設け、当せんした特定役を予測し、予測した特定役に対応する図柄の組合せを構成する図柄を「目押し」をする仕様のスロットマシンでは、以下のような問題も生じていた。
例えば、各特定図柄の組合せに対応する特定役は、内部抽せんによって、所定の抽せん確率に基づき、各々独立して抽せんされるようになっている。このような場合、各特定役の抽せん確率は、リプレイタイムが継続する遊技回数に応じた重みで設定され、通常、リプレイタイムが継続する遊技回数の多い特定役ほど抽せん確率が低く、リプレイタイムが継続する遊技回数の少ない特定役ほど抽せん確率が高く設定されている。
【００１０】
このような複数の特定役が各々独立して抽せんされる仕様のスロットマシンでは、遊技者は、当せんした特定役が特定されずに報知された場合は、各特定役の抽せん確率を念頭に入れ、単に勘に頼って、当せんした特定役を予測し、予測した特定役に対応する特定図柄の組合せを構成する図柄の「目押し」を行うことになる。
そのため、たとえ抽せん確率が高く設定されたリプレイタイムが継続する遊技回数の少ない特定役に対応する図柄を「目押し」をしても、遊技回数の少ない特定役にさえ当せんしていない場合もあるため、遊技者にとっては、なんら補償がなく、常にリスクが付きまとい、リスクを回避する余地がなかった。
【００１１】
以上のような従来のスロットマシンが有する問題を解決すべく、本願発明者らは、鋭意研究の結果、遊技者が、報知された当せん内容に従って確実なリプレイタイムへの移行を確保するか、これと継続する遊技回数の異なるリプレイタイムに挑戦するかを選択可能な従来には存在しない魅力的なスロットマシン遊技を実現し得る本発明に想到するに至ったものである。
【００１２】
すなわち、本発明は、上述したような従来の技術が有する問題を解決するために提案されたものであり、遊技者が、確実なリプレイタイムの確保か、儲けを重視する挑戦かを選択することができるスロットマシンの提供を目的とする。
【課題を解決するための手段】
【００１３】
上記目的を達成するため、本発明のスロットマシンは、請求項１に記載するように、スタート操作により数種類の図柄が表された複数のリールが回転を開始し、各リールに対応して設けられた停止ボタンの停止操作により回転する各リールが停止し、停止した各リールに表された図柄で構成される図柄の組合せに基づき遊技価値を付与するスロットマシンであって、複数の抽せん対象から所定の抽せん確率に基づいてゲーム毎に内部抽せんを行い、抽せんされた当せん内容に対応した図柄の組合せを構成する図柄が停止操作のタイミングから所定の図柄コマ数内にある場合に、当せん内容に対応した図柄の組合せが停止表示されるように各リールを停止制御する停止制御手段と、少なくとも通常遊技と、遊技媒体を投入することなく次回遊技可能となる再遊技役が高確率で抽せんされる再遊技高確率遊技と、を含む複数の遊技状態に移行させるゲーム管理手段と、前記当せん内容を含む情報を報知する報知手段と、を備え、当せんが次回遊技に持ち越されることなく、当せんした遊技限りにおいて、対応する特定の図柄の組合せが停止表示されることで継続する遊技回数が各々異なる前記再遊技高確率遊技に移行する複数の特定役が設けられ、前記複数の特定役のうち一又は二以上の所定の特定役に当せんする抽せん対象が、複数設定されるとともに、前記所定の特定役に当せんする複数の抽せん対象のうち少なくとも一の抽せん対象は、当該所定の特定役と当該所定の特定役以外の一以上の他の特定役とに同時に当せんする抽せん対象として設定され、前記各特定役に対応する特定の図柄の組合せを構成する各リールに表された図柄が、当該各特定役に対応する特定の図柄の組合せが同時に停止表示されない所定の間隔をもって、配置され、前記報知手段が、前記所定の特定役に当せんする抽せん対象に当せんした場合において、少なくとも当該所定の特定役に関する情報を報知する構成としてある。
【００１４】
このような構成とすることにより、複数の特定役のうち一又は二以上の所定の特定役に当せんする抽せん対象が、当該所定の特定役以外の一以上の他の特定役と同時に当せんする、いわゆる「重複抽せん対象」となる抽せん対象を少なくとも含み、複数設定されているとともに、報知手段が、所定の特定役に当せんする抽せん対象に当せんした場合において、少なくとも当該所定の特定役に関する情報を報知するため、遊技者は、リプレイタイムを確実に確保するように所定の特定役に対応する特定図柄の組合せを停止表示させることもできるし、所定の特定役以外の他の特定役と同時に当せんする「重複抽せん対象」として当せんしたと予測して、当該所定の特定役とリプレイタイムが継続する遊技回数が異なる他の特定役に対応する特定図柄の組合せを停止表示させるように選択することもできる。
これにより、リプレイタイムを確実に獲得する余地を確保しつつ、儲けを重視する冒険をも試みることができる。
【００１５】
すなわち、所定の特定役に当せんする抽せん対象が、当該所定の特定役以外の他の特定役と同時に当せんする抽せん対象を少なくとも含み、複数設定されており、報知手段が、所定の特定役に当せんする抽せん対象に当せんした場合において、少なくとも当該所定の特定役に関する情報を報知する。その結果、遊技者は、この当せんが報知された場合には、少なくとも所定の特定役には当せんしていることを認識し、所定の特定役に対応する特定図柄の組合せを構成する各リールに表された図柄を「目押し」することで、特定図柄の組合せが停止表示され、所定の遊技回数まで継続するリプレイタイムに移行させることができる。
反対に、報知手段が所定の特定役が一以上の他の特定役と同時に当せんする「重複抽せん対象」として当せんした場合も少なくとも所定の特定役に関する情報を報知することを認識している遊技者は、一以上の他の特定役に当せんしている可能性も認識している。そして、重複抽せん対象に当せんしている場合には、所定の特定役より継続する遊技回数が多いリプレイタイムに移行する他の特定役に当せんしていることもある。
このような場合、遊技者は、当せん内容が、重複抽せん対象と予測して、他の特定役に対応する特定図柄の組合せを構成する各リールに表された図柄を「目押し」をし、予測が的中していたときには、他の特定役に対応する特定図柄の組合せが停止表示され、所定の特定役より継続する遊技回数が多いリプレイタイムに移行させることもできる。
一方、予測がはずれていた場合には、他の特定役に対応する特定図柄の組合せは停止表示されず、なんら遊技価値が付与されない「ハズレ」となる。
このように、本発明では、報知された所定の遊技回数まで継続するリプレイタイムを確実に獲得するか、継続する遊技回数の異なるリプレイタイムの獲得にチャレンジするかの選択を遊技者に委ねることができ、従来のスロットマシンのように各々単独で当せんする場合と異なり、遊技者にとっては、儲けを重視する可能性を残しつつ、投資した遊技資金、手持ちの出玉や、残りの遊技時間等を考慮し、リスクを回避したリプレイタイムを確実に獲得する選択も可能となる。
【００１６】
なお、所定の特定役は、一の特定役でも、二以上の特定役でもよく、例えば、一の特定役であれば、当該一の特定役に当せんする抽せん対象として、当該一の特定役に単独で当せんする単独抽せん対象と、一以上の他の特定役と同時に当せんする一又は二以上の重複抽せん対象を設定することができる。
具体的には、例えば、一の特定役を特定役Ａとした場合、特定役Ａに単独で当せんする単独抽せん対象と、特定役Ａと一以上の他の特定役である特定役Ｂとに同時に当せんする第一の重複抽せん対象が設定される場合である。
なお、同時に当せんする他の特定役は、一以上なので、他の特定役の数に応じて設けることができ、他の特定役が特定役Ｂと特定役Ｃであれば（以下、特定役は三つで説明する。）、特定役Ｃにも同時に当せんしてもよい。また、第一の重複抽せん対象の他にも第一の重複抽せん対象と組合せの異なる、例えば、特定役Ａと特定役Ｃに同時に当せんする第二の重複抽せん対象が設定されてもよい。
本発明の報知手段は、所定の特定役（特定役Ａ）を少なくとも含む抽せん対象に当せんした場合において、少なくとも当該所定の特定役（特定役Ａ）に関する情報を報知するため、上記のいずれに当せんした場合においても少なくとも所定の特定役（特定役Ａ）に関する情報を報知することになる。
その結果、遊技者は、この報知に従い特定役Ａに対応する図柄の「目押し」をすることもできるし、重複抽せん対象に当せんしている可能性を認識している場合には、特定役Ｂ又は特定役Ｃに対応する図柄の「目押し」をすることもできる。
【００１７】
また、一の特定役であれば、当該一の特定役に当せんする抽せん対象として、同時に当せんする他の特定役の組合せが異なる重複抽せん対象を複数設定することもできる。
例えば、上記と同様に一の特定役を特定役Ａとした場合、特定役Ａと一以上の他の特定役である特定役Ｂが同時に当せんする第一の重複抽せん対象と、特定役Ａと一以上の他の特定役である特定役Ｃとに同時に当せんする第二の重複抽せん対象（他の特定役は、一以上なので、特定役Ｂにも同時に当せんしてもよい。）が設定される場合である。
報知手段は、この場合にも、所定の特定役（特定役Ａ）を少なくとも含む抽せん対象に当せんした場合において、少なくとも当該所定の特定役（特定役Ａ）に関する情報を報知するため、上記のいずれに当せんした場合においても少なくとも所定の特定役（特定役Ａ）に関する情報を報知することになる。
その結果、遊技者は、この報知に従い特定役Ａに対応する図柄の「目押し」をすることもできるし、他の特定役に当せんしている可能性も認識しているため、特定役Ｂ又は特定役Ｃに対応する図柄の「目押し」をすることもできる。
【００１８】
所定の特定役が、二以上の特定役であれば、当該二以上の特定役に当せんする抽せん対象として、同時に当せんする他の特定役の組合せが異なる重複抽せん対象を複数設定することもできる。
例えば、二以上の特定役を特定役Ａと特定役Ｂとした場合、特定役Ａと特定役Ｂが同時に当せんする第一の重複抽せん対象と、特定役Ａと特定役Ｂと一以上の他の特定役である特定役Ｃとに同時に当せんする第二の重複抽せん対象が設定される場合である。
報知手段は、この場合にも、所定の特定役（特定役Ａと特定役Ｂ）を少なくとも含む抽せん対象に当せんした場合において、少なくとも当該所定の特定役（特定役Ａと特定役Ｂ）に関する情報を報知するため、上記のいずれに当せんした場合においても少なくとも所定の特定役（特定役Ａと特定役Ｂ）に関する情報を報知することになる。
その結果、遊技者は、この報知に従い特定役Ａ又は特定役Ｂに対応する図柄の「目押し」をすることもできるし、他の特定役に当せんしている可能性も認識しているため、特定役Ｃに対応する図柄の「目押し」をすることもできる。
以上のいずれにおいても、所定の特定役が、一以上の他の特定役と同時に当せんする、いわゆる「重複抽せん対象」として設定されているため、所定の特定役に対応する所定の遊技回数まで継続するリプレイタイムを確保する余地を残しつつ、これと継続する遊技回数の異なるリプレイタイムの獲得にチャレンジすることもできる。
【００１９】
また、所定の特定役、他の特定役を問わず特定役は、当該特定役の当せんが次回遊技に持ち越されることなく、当せんされる遊技限りにおいて有効な役であるため、当せんしたゲームにおいてのみ対応する特定図柄の組合せを停止表示しない限り、当該当せんが無効となるとともに、各特定役に対応する特定の図柄の組合せを構成する各リールに表された図柄が、各特定役に対応する特定の図柄の組合せが同時に停止表示されない所定の間隔をもって、各リールにおいて配置されているため、各特定図柄の組合せが同時に停止表示されることはなく、遊技者にとっては、スリル感のあるゲームを興趣することができる。
これにより、当せん内容が次回遊技に持ち越されるボーナス役の当せんと異なり、１回のゲームが遊技の結果を左右する重みのあるゲームとすることができ、遊技者は、緊張感のある遊技を堪能することができる。
なお、各特定役に対応する特定の図柄の組合せが同時に停止表示されない所定の間隔は、三つのリールにおける縦方向に連続して隣接する三つの図柄の組合せに基づき遊技価値を付与するスロットマシンでは、少なくとも一のリールに表された各特定役に対応する特定の図柄の組合せを構成する各図柄が２コマ以上の間隔をもって配置されれば足りる。
【００２０】
また、報知手段が行う報知は、視覚的の報知のみならず、聴覚的な報知も含まれる。当せん内容を含む情報の報知は、例えば、当せん内容に対応する図柄の組合せを構成する図柄を所定の表示器で表示したり、当該図柄名称をスピーカにより出力したりすることで行うことができる。
なお、この場合において、報知手段が行う当せん内容を含む情報の報知は、少なくとも当せん内容に対応する情報が含まれれば足り、当せんしていない他の抽せん対象の情報を同時に報知することもできる。
また、報知手段が所定の特定役に関する情報のみならず、他の特定役に関する情報をも報知する場合は、例えば、所定の表示器で表示するときに、所定の特定役に対応する図柄を他の特定役に対応する図柄より大きく表示するなど、少なくとも所定の特定役の当せんを示唆するような報知を行うことが好ましい。
【００２１】
また、本発明のスロットマシンは、請求項２に記載するように、前記所定の特定役に対応する特定の図柄の組合せが停止表示されることで移行する前記再遊技高確率遊技の継続する遊技回数が、前記他の特定役に対応する特定の図柄の組合せが停止表示されることで移行する前記再遊技高確率遊技の継続する遊技回数より少なく設定される構成とすることができる。
このような構成とすることにより、所定の特定役に対応するリプレイタイムが継続する遊技回数が、他の特定役に対応する遊技回数より少ないため、他の特定役にチャレンジする価値があること遊技者に認識させることができる。
すなわち、所定の特定役に対応するリプレイタイムが継続する遊技回数が、他の特定役に対応する遊技回数より多ければ、遊技者は、リスクを負ってまで、他の特定役に対応する特定図柄を停止表示させる必要はないが、他の特定役に対応する遊技回数が、所定の特定役に対応する遊技回数より多く設定されているため、遊技者に、チャレンジするように仕向けることができる。
【００２２】
また、本発明のスロットマシンは、請求項３に記載するように、前記各特定役に対応する特定の図柄の組合せを構成する各リールに表された図柄が、前記所定の図柄コマ数を超える間隔をもって、各リールにおいて配置される構成とすることができる。
このような構成とすることにより、各特定役に対応する特定の図柄の組合せを構成する各リールに表された図柄が、所定の図柄コマ数を超える間隔をもって、各リールにおいて配置されるため、停止制御手段により停止表示される各特定役に対応する特定の図柄の組合せを構成する各リールに表された図柄は、重複することがない。
【００２３】
すなわち、一般的なスロットマシンの場合、停止ボタンを停止操作したとき停止表示可能な図柄を「０コマ」とすると、この時点から最大「４コマ」分リールを回転させて、停止表示させることができる。このため、一つのリールにおいて２つの特定役に対応する特定の図柄の組合せを構成する各図柄が、前述した同時に停止表示されない間隔（「２コマ」）であっても、停止操作のタイミングから停止表示可能な図柄コマ数である「４コマ」内に配置されている場合には、停止制御可能な図柄が重複して存在することになる。
また、停止制御手段は、当せん内容に対応した図柄の組合せが停止表示されるように各リールを停止制御し、当せんしていない図柄の組合せが停止表示されることはない。
その結果、例えば、特定役が２つしか存在せず、報知手段によって、いずれかの特定役の当せんが特定されずに報知されたような場合、遊技者が、停止制御手段が停止制御可能な図柄が重複して存在する範囲で停止ボタンを停止操作したときには、停止制御手段が、当せん内容に対応した図柄の組合せが停止表示されるように各リールを停止制御するため、必ず、いずれかの特定の図柄の組合せが停止表示されることになる。
これにより、遊技者は、取りこぼすことなく、必ず、いずれかのリプレイタイムを確保できてしまい本発明の目的である、所定の特定役に対応する所定の遊技回数まで継続するリプレイタイムの確保か、これと継続する遊技回数の異なるリプレイタイムのチャレンジか、という択一的な選択を遊技者に委ねることができなくなる。
【００２４】
そこで、本発明では、停止制御手段により停止表示される各特定役に対応する特定の図柄の組合せを構成する各リールに表された図柄が、重複しないように、各特定役に対応する特定の図柄の組合せを構成する各リールに表された図柄が、所定の図柄コマ数（４コマ）を超える間隔である少なくとも５コマ以上の間隔をもって、各リールにおいて配置してある。
これにより、遊技者が行う停止ボタンの停止操作も択一的な選択となり、内部抽せん確率に基づいた公正、かつ、平等な遊技性を担保しつつ、特定役に当せんした１回のゲームの重みをさらに増大させることができる。
【００２５】
また、本発明のスロットマシンは、請求項４に記載するように、前記報知手段が、前記所定の特定役に当せんしない抽せん対象に当せんした場合、前記所定の特定役に関する情報を報知しない構成とすることができる。
このような構成とすることにより、報知手段が、所定の特定役に当せんしない抽せん対象に当せんした場合、所定の特定役に関する情報を報知しないため、反対に、所定の特定役に当せんする抽せん対象に当せんした場合に報知する所定の特定役に関する情報が、虚偽の報知でないことが担保される。
これにより、報知手段により所定の特定役に関する情報が報知された場合には、少なくとも所定の特定役に当せんする抽せん対象に当せんしたことが、確定されるため、遊技者は、安心して、所定の特定役に対応した図柄の組合せを構成する図柄の「目押し」を行うことができる。
【００２６】
また、本発明のスロットマシンは、請求項５に記載するように、前記報知手段が、前記所定の特定役に当せんする抽せん対象に当せんした場合において、当該所定の特定役に関する情報と前記他の特定役に関する情報を報知する構成とすることができる。
このような構成とすることにより、報知手段が、所定の特定役に関する情報と他の特定役に関する情報を報知するため、重複抽せん対象に当せんした可能性を遊技者に意識させることができる。
これにより、遊技者は、重複抽せん対象の当せんの可能性を認識することで、他の特定役に対応する特定図柄の組合せを構成する図柄の「目押し」を試みることができる。
【００２７】
また、本発明のスロットマシンは、請求項６に記載するように、前記報知手段が、所定の遊技条件が成立後、当せん内容の特定役に関する情報のみ報知する構成とすることができる。
このような構成とすることにより、報知手段が、所定の遊技条件が成立後、当せんした特定役に関する情報のみ報知するため、遊技者は、この報知に従って、当せんした特定役に対応する特定図柄の組合せを構成する各リールに表された図柄を「目押し」することで、特定図柄の組合せが停止表示され、所定の遊技回数まで継続するリプレイタイムに確実に移行させることができる。
これにより、遊技者は、リスクを負ってチャレンジする必要がなくなり、確実にリプレイタイムを確保することができる。
【００２８】
なお、所定の遊技条件の成立とは、例えば、遊技者が、リプレイタイムの確実な確保を嫌い、継続する遊技回数の多いリプレイタイムに対応する特定図柄の「目押し」を試みた結果、取りこぼした場合、ボーナス遊技に当せんしない遊技状態が所定の長い期間継続する、いわゆる「ハマリ」の後、などの遊技者に不利な遊技条件の成立が成立した場合や、ボーナス遊技の終了、内部抽せんとは異なる所定の抽せんの当せん、などの遊技条件が成立した場合などを挙げることができる。
このような場合の報知としては、当せんした特定役を確実に告知する、例えば、「確定」の文字等とともに、当せんした特定役に対応する図柄を表示することもできる。
なお、重複抽せん対象として、当せんした場合には、同時に当せんした特定役に関する情報をすべて報知することもできるし、遊技者に有利なように、継続するリプレイタイムの遊技回数の多い特定役に関する情報のみ報知することもできる。
【００２９】
また、本発明のスロットマシンは、請求項７に記載するように、前記所定の遊技条件の成立は、前記所定の特定役に当せんする抽せん対象に当せんし、かつ、当該所定の特定役に対応する特定の図柄の組合せが停止表示されない場合を少なくとも含む構成とすることができる。
このような構成とすることにより、少なくとも遊技者が、継続する遊技回数の異なるリプレイタイムに対応する特定図柄の「目押し」に試みた結果、取りこぼした場合に該当するため、このような遊技条件の成立後において、報知手段が、当せんした特定役に関する情報のみ報知することで、遊技者を間接的に救済することができる。
【００３０】
すなわち、所定の特定役に当せんする抽せん対象に当せんするとともに、所定の特定役に対応する特定の図柄の組合せが停止表示されない場合とは、遊技者が、遊技回数の異なるリプレイタイムに対応する他の特定役に対応する特定図柄の「目押し」を試みた結果、取りこぼした場合であることが推測される。
このような遊技条件の成立後に、報知手段が、当せんした特定役に関する情報のみ報知することで、遊技者は、この報知に従って、当せんした特定役に対応する特定図柄の組合せを構成する図柄を「目押し」することで、特定図柄の組合せが停止表示され、所定の遊技回数まで継続するリプレイタイムに確実に移行させることができる。
これにより、遊技者は、リスクを負ってチャレンジしても、見返りとして間接的な救済が図られるため、チャレンジする意識が働き、遊技性を向上させることができる。
なお、所定の特定役に当せんする抽せん対象に当せんし、かつ、当該所定の特定役に対応する特定の図柄の組合せが停止表示されない場合を少なくとも含む遊技条件であれば足り、さらに、所定の抽せんゲームの当せんなどの他の条件を付加することもできる。
【００３１】
また、本発明のスロットマシンは、請求項８に記載するように、対応する図柄の組合せの停止表示により次回の一の遊技が特別な遊技状態となる特別役が設けられ、前記再遊技役に対応する図柄の組合せを構成する各リールに表された図柄が、前記図柄コマ数の最大値を超えない間隔をもって、各リールにおいて配置され、前記通常遊技においては、前記特別役と前記再遊技役は、当該特別役と当該再遊技役とに同時に当せんする抽せん対象として設けられるとともに、当該抽せん対象に当せんした場合に、前記停止制御手段が、前記再遊技役に対応する図柄の組合せが優先して停止表示されるように各リールを停止制御し、前記再遊技高確率遊技においては、前記特別役と前記再遊技役は、各々独立して当せんする抽せん対象として設けられる構成とすることができる。
【００３２】
このような構成とすることにより、通常遊技においては、特別役が成立することなく再遊技役のみ成立するとともに、リプレイタイムにおいては、特別役と再遊技役は、各々独立して成立させることができる。
すなわち、再遊技役に対応する図柄の組合せを構成する各リールに表された図柄は、前記図柄コマ数の最大値を超えない間隔をもって、各リールにおいて配置されていることから、再遊技役に対応する図柄の組合せは、停止ボタンの停止操作のタイミングに拘わらず停止表示可能である。
さらに、通常遊技においては、特別役と再遊技役は、当該特別役と当該再遊技役とに同時に当せんする抽せん対象として設けられるとともに、当該抽せん対象に当せんした場合に、停止制御手段が、再遊技役に対応する図柄の組合せが優先して停止表示されるように各リールを停止制御するため、通常遊技においては、特別役に対応する図柄の組合せは停止表示されることはなく、再遊技役に対応する図柄の組合せのみ停止表示されることになる。
その結果、通常遊技においては、特別役と再遊技役とに同時に当せんする抽せん対象は、単独で当せんする再遊技役と等価な抽せん対象とすることができる。
【００３３】
一方、リプレイタイムにおいては、特別役と再遊技役は、各々独立して当せんする抽せん対象として設けられるため、特別役に当せんした場合には、対応する図柄の組合せの停止表示により、次回の一の遊技が特別な遊技状態となり、再遊技役に当せんした場合には、対応する図柄の組合せの停止表示により、メダルを投入することなく次回遊技を行うことができる。
これにより、通常遊技において対応する図柄の組合せが停止表示されることがなかった特別役が、リプレイタイムにおいては、停止表示されることになる。その結果、リプレイタイムにおいては、通常遊技と異なり、再遊技役が高確率で頻出する遊技者に有利な遊技状態になるだけでなく、通常遊技で停止表示されることがなかった特別役に対応する図柄の組合せが停止表示されることなる。これより、再遊技役が単に高確率で頻出する通常のリプレイタイムに比べ、スロットマシンに投入するメダルに対するスロットマシンから払出されるメダルの割合である出玉率を高く設定することができ、通常のリプレイタイムのような手持ちのメダルの維持ではなく、メダルを積極的に増加させることができる。
【００３４】
なお、特別役とは、対応する図柄の組合せの停止表示により、次回の一の遊技が特別な遊技状態となる役であって、次回の一遊技が内部抽せんに基づく停止制御によらず、所定の小役に対応する図柄の組合せを停止表示可能な特別な遊技状態に移行する「ＳＣＴ（シングルチャレンジタイム）」、次回の一遊技が所定の小役が高確率で当せんする特別な遊技状態に移行する「ＳＢ（シングルボーナス）」などがある。
【発明の効果】
【００３５】
本発明のスロットマシンによれば、遊技者が、確実なリプレイタイムの確保か、儲けを重視する挑戦かを選択することができる、従来には存在しない魅力的なスロットマシン遊技を提供することができる。
【発明を実施するための最良の形態】
【００３６】
以下、本発明に係るスロットマシンの好ましい実施形態について、図面を参照して説明する。
ここで、以下の実施形態に示す本発明のスロットマシンは、プログラムに制御されたコンピュータにより動作するようになっている。プログラムは、コンピュータの各構成要素に指令を送り、所定の制御、例えば、リールの回転開始，リールの停止制御，内部抽せん等を行わせる。このように、本発明にかかるスロットマシンにおける各制御，動作は、プログラムとコンピュータとが協働した具体的手段により実現されるものである。なお、プログラムは予めＲＯＭ等の記録媒体に格納されており、当該コンピュータにプログラムを読み込ませることで、上記の各制御，動作が実行されるようになっている。
【００３７】
［スロットマシン本体］
まず、図１〜図３を参照して、本発明の一実施形態に係るスロットマシン本体の構成について説明する。
図１は、本発明の一実施形態に係るスロットマシンを示す概略正面図であり、図２は、同じく本実施形態に係るスロットマシンの内部構成を示す概略斜視図であり、図３は、本実施形態に係るスロットマシンの表示窓における有効ラインを示す図である。
これらの図に示すように、本実施形態のスロットマシン１は、従来のスロットマシンと同様に、スロットマシン１に備えられた複数のリール２１ａ，２１ｂ，２１ｃを回転させることによって遊技媒体を獲得することができる回胴式遊技機を構成している。
【００３８】
そして、本実施形態のスロットマシン１では、対応する図柄の組合せの停止表示により、継続する遊技回数が各々異なるリプレイタイムに移行する特定役が複数設けられるとともに、複数の特定役のうち所定の特定役が当せんすることになる抽せん対象は、他の特定役と同時に当せんする場合も含め、複数設定され、報知手段が、所定の特定役を少なくとも含む抽せん対象に当せんした場合において、少なくとも当該所定の特定役に関する情報を報知することで、遊技者が、報知された所定の遊技回数まで継続するリプレイタイムを確実に獲得するか、継続する遊技回数の異なるリプレイタイムの獲得にチャレンジするかの選択をすることができるようになっている。
【００３９】
具体的には、本実施形態のスロットマシン１は、内部がマイクロコンピュータ等で構成された制御部１０及び必要な機械，装置等を収納可能な前面側が開口された筐体１ｂと、前面側を開閉可能に覆う前扉１ａとからなる筐体状に構成されている。
前扉１ａは、図１及び図２に示すように、スロットマシン１の筐体１ｂにヒンジ等を介して開閉自在に取り付けられる扉体で、この前扉１ａに前面パネル２とその他各部が備えられてスロットマシン１の正面部を構成している。
【００４０】
前扉１ａの最上部には、表示器Ｌ１が備えられ、また、表示器Ｌ１の左右両脇にはスピーカ９が備えられている。
表示器Ｌ１は、液晶表示装置等からなり、後述する内部抽せんに当せんした当せん内容を含む情報を動画及び静止画像として報知する本発明に係る報知手段として機能するようになっている。例えば、当せん内容に対応する図柄の組合せを構成する各図柄の絵柄などが表示される。表示器Ｌ１が行う当せん内容を含む情報の報知は、少なくとも当せん内容に対応する情報が含まれれば足り、当せんしていない他の抽せん対象に関する情報を同時に報知することもできる。
また、通常遊技において、少なくとも本発明の所定の特定役を含む抽せん対象に当せんした場合において、少なくとも所定の特定役に関する情報を報知するようになっている。
この表示器Ｌ１による演出は、スピーカ９からの音による演出と連動して、又はスピーカ９による音による演出とは独立して行われるようになっている。
この表示器Ｌ１は、制御部１０から送信されるとともに、筐体１ｂに設けられた演出制御部４０が受信する制御コマンドに基づき、演出制御部４０に備えられる表示器駆動回路４２によって駆動制御される（図５参照）。
【００４１】
スピーカ９は、遊技者に対してメロディ音やメッセージ音等の各種の音声を発生することで、当せん内容を含む情報を報知する本発明に係る報知手段として機能するようになっており、このスピーカ９を介して、上述した表示器Ｌ１とともに、又は表示器Ｌ１とは別個に、音による所定の演出が行われるようになっている。例えば、当せん内容を含む情報は、当せん内容に対応する図柄の組合せを構成する各図柄の名称などが出力される。スピーカ９が行う当せん内容を含む情報の報知は、少なくとも当せん内容に対応する情報が含まれれば足り、当せんしていない他の抽せん対象に関する情報を同時に報知することもできる。
また、通常遊技において、少なくとも本発明の所定の特定役を含む抽せん対象に当せんした場合において、少なくとも所定の特定役に関する情報を報知するようになっている。
このスピーカ９から発生される音声は、制御部１０から送信されるとともに、筐体１ｂに設けられた演出制御部４０が受信する制御コマンドに基づき、演出制御部４０に備えられるサウンド回路４１によって生成・出力されるようになっている（図５参照）。
【００４２】
前面パネル２には、ほぼ中央部分に表示窓３が設けられ、筐体内の各リール２１ａ〜２１ｃが外部から視認可能となっている。
表示窓３は、スロットマシン１内部に配設された三つのリール（左）２１ａ，リール（中）２１ｂ，リール（右）２１ｃ（図２参照）の視認用の窓部で、通常、無色透明又は有色透明な樹脂製パネル等からなり、三つの各リール２１の周囲に表された複数の図柄のうち、縦方向に連続して隣接する三つの図柄をそれぞれ視認，識別できるようになっている。
そして、この表示窓３を介して視認されるリール２１の停止図柄の組合せには、有効ラインが設定されている。
図３に示すように、有効ラインは、水平に３つ平行に並んだ中段、上段、下段の有効ライン１、有効ライン２、有効ライン３と、斜めにクロスする２つの有効ライン４、有効ライン５の計５ラインが設けられ、有効ライン１〜５に沿って停止表示されたリール２１ａ〜２１ｃに表された図柄の組合せによって、所定の遊技価値が付与されるようになっている（図９参照）。
【００４３】
前面パネル２の表示窓３の下側には、貯留枚数表示部２ａと、状態表示部２ｂと、獲得枚数表示部２ｃとが備えられている。
貯留枚数表示部２ａ，状態表示部２ｂ及び獲得枚数表示部２ｃは、それぞれ７セグメントＬＥＤ等からなり、所定の数値が表示されるようになっている。
貯留枚数表示部２ａは、貯留メダル数が表示され、状態表示部２ｂは、ボーナス遊技におけるメダルの払出総数や消化ゲーム数が表示され、獲得枚数表示部２ｃは、入賞時の払出数が表示される。
各表示部は、制御部１０に備えられた表示部駆動回路１５によって駆動制御される（図５参照）。
【００４４】
前面パネル２の表示窓３の左側には、ボーナス当せん告知部Ｌ２が備えられている。
ボーナス当せん告知部Ｌ２は、スロットマシン１の制御部１０における内部抽せんの結果、ボーナス役に当せんした場合に、所定の条件に基づき、点灯又は点滅するＬＥＤ発光ダイオード（以下、ＬＥＤという）と、ＬＥＤの光によって絵柄等を透光表示させる透光表示部とを有している。
そして、ボーナス当せん告知部Ｌ２は、制御部１０から送信されるとともに、演出制御部４０が受信する制御コマンドに基づき、演出制御部４０に備えられる表示器駆動回路４２によって駆動制御される（図５参照）。
【００４５】
前面パネル２の下側の前扉１ａのほぼ中央部分には、スタートレバー４，停止ボタン５，メダル投入口６，精算ボタン６ｂ，ＢＥＴボタン７等の遊技者が操作するためのボタン類が備えられている。
スタートレバー４は、三つの各リール２１の回転を開始させるゲームスタート手段であり、このスタートレバー４が遊技者の操作によって押下されることで、後述する制御部１０にスタート信号が出力され（図５参照）、本体内部の各リール２１ａ〜２１ｃが一斉又は順次に回転するようになっている。
また、このスタートレバー４の押下によりスタート信号が入力されることで、制御部１０において内部抽せんが行われ、当せん内容が決定されるようになっている。
【００４６】
停止ボタン５は、回転するリール２１を停止させる停止手段であり、三つのリール（左）２１ａ，リール（中）２１ｂ，リール（右）２１ｃに対応して設けられた三つの停止ボタン（左）５ａ，停止ボタン（中）５ｂ，停止ボタン（右）５ｃが備えられている。この各停止ボタン５ａ，５ｂ，５ｃが遊技者の任意のタイミングで押下されることで、制御部１０にストップ信号が出力され（図５参照）、対応する各リール２１ａ，２１ｂ，２１ｃの回転が停止されるようになっている。
従って、遊技者がこれらスタートレバー４及び停止ボタン５を操作することにより、三つのリール２１ａ〜２１ｃを回転及び停止させて、各リール２１ａ〜２１ｃに表された図柄を所定の組合せの停止表示となるようスロットマシン遊技を行うことができる。
【００４７】
メダル投入口６は、ゲームに使用される遊技媒体となるメダルの受け入れ口であり、このメダル投入口６から投入されたメダル数に応じてゲームが行えるようになっている。
メダル投入口６の本体内部側には、図２に示すようにメダルセレクタ６ａが備えられ、投入されたメダル数がカウントされ、そのメダル数を示すメダル信号が、本体内部の制御部１０に出力されるようになっている。これにより、メダル投入口６からメダルが１枚投入されれば１枚賭けのゲーム、２枚投入されれば２枚賭けのゲーム、３枚投入されれば３枚賭け（ＭＡＸＢＥＴ）のゲームが行えるようになる。
【００４８】
また、メダル投入口６から投入されるメダルの数は、貯留メダル数として制御部１０内のＲＡＭ１１ｂに記憶されるようになっており（図５参照）、遊技の開始に先立って、予め複数のメダルを投入し、貯留メダルとして貯留，記憶できるようになっている。
具体的には、メダルが３枚投入されている状態で、さらにメダル投入口６からメダルが投入されると、４枚目以降のメダルは貯留メダルとして、所定数（例えば、最大５０枚）が貯留，記憶される。また、入賞時の払出があった場合、貯留メダルの最大数までは、入賞メダルは貯留メダルとして貯留させる。貯留メダル数は前面パネル２の貯留枚数表示部２ａに数値として表示される。
【００４９】
精算ボタン６ｂは、遊技の終了時等に貯留メダルを精算するためのスイッチである。
この精算ボタン６ｂが押下されることで、貯留メダル分のメダルがメダル払出装置３０から遊技メダル払出口８に排出され、ＲＡＭ１１ｂに記憶された貯留メダル数のデータも消去される。
また、貯留メダルが精算されることで貯留枚数表示部２ａの数値もゼロ表示となる。
【００５０】
メダルのＢＥＴボタン（投入ボタン）７は、メダル投入口６から投入されたメダルに貯留メダルがある場合に、その貯留メダルの中からゲームに使用する（賭ける）メダルを投入（ＢＥＴ）するメダル投入用のスイッチである。
具体的には、一回の押下によって一ゲームに投入可能な最大数のメダル（通常３枚）を貯留メダルから投入する３枚賭け用のＭＡＸＢＥＴボタン７ａと、一回の押下で１枚のメダルを貯留メダルから投入する１枚賭け用の１ＢＥＴボタン７ｂとが備えられている。
１ＢＥＴボタン７ｂは一回押下するたびに１枚賭け、２枚賭け、３枚賭けとＢＥＴ数が増加するようになっている。
このＢＥＴボタン７が押下されると、メダル信号が制御部１０に出力され（図５参照）、押下された回数と同数のメダルが、ＲＡＭ１１ｂに記憶された貯留メダルからゲームに投入されることになる。
なお、貯留メダルが投入されると、ＲＡＭ１１ｂに記憶された貯留メダル数が投入数だけ減算され、貯留枚数表示部２ａの表示数値も投入数だけ減ることになる。
【００５１】
スロットマシン１の最下部には、遊技メダル払出口８が備えられている。
停止ボタン５の押下によって停止された各リール２１が所定の図柄の組合せとなった場合に、筐体内のメダル払出装置３０から図柄の組合せに応じた数量のメダルが、遊技メダル払出口８より、払い出されるようになっている。払い出されたメダル数は、リールの表示窓３の下側にある状態表示部を構成する獲得枚数表示部２ｃに表示される。
【００５２】
スロットマシン１の筐体内部には、図２に示すように、三個のリール２１ａ〜２１ｃを回転及び停止駆動するドラムユニット２０や、メダルを払い出すメダル払出装置３０、その他の機械，装置等が備えられている。
ドラムユニット２０は、三つのリール２１ａ，２１ｂ，２１ｃと、三つのリール２１ａ〜２１ｃを回転自在に保持し、各リール２１ａ〜２１ｃに対応するステッピングモータ２３ａ〜２３ｃを回転駆動することで各リール２１ａ〜２１ｃの回転の始動，定速回転及び停止の制御を行うモータ駆動回路２２と、各リール２１ａ〜２１ｃが一回転する毎に各リール２１ａ〜２１ｃの基準位置を検出してマーカー信号として制御部１０に出力する回胴位置検出部２４と、を備えている（図５参照）。
【００５３】
リール２１は、既存のスロットマシンにおけるものと同様、外周に複数（通常２１個）の絵柄や文字等の図柄が表された円筒状部分からなり、縦方向（図面上から下方向）に回転する三つのリール（左）２１ａ，リール（中）２１ｂ，リール（右）２１ｃが横方向（図面左右方向）に一列に並んで配設されている（図２参照）。
各リール２１ａ〜２１ｃに表された図柄は、図４に示すように、各リール毎に等間隔で配設され、例えば色違いの３種類の「７」や「ベル」，「オレンジ」，「チェリー」，「リプレイ」等の絵柄や文字が、所定の順番で表示されており、各リールに２１個ずつの図柄が表示されるようになっている。
【００５４】
そして、本発明の特定役（「小役Ａ」、「小役Ｂ」、「小役Ｃ」）に対応する特定図柄の組合せ（「赤７・赤７・赤７」、「黄７・黄７・黄７」、「青７・青７・青７」、「左リール２１ａ・中リール２１ｂ・右リール２１ｃ」の順番、以下同じ」（図９参照））を構成する図柄である「赤７」、「黄７」、「青７」は、図４に示すように、均等に６コマの間隔をもって、各リール２１において配置されている。
その結果、後述するように各小役に同時に当せんする重複抽せん対称として当せんした場合でも、上記の特定図柄の組合せは、有効ライン１〜５に沿って、同時に停止表示されることはないため、遊技者は、いずれかの小役に対応する図柄の組合せを構成する「７」を選択して、停止ボタン５の停止操作を行わなければならないようになっている。
また、回転中の各リール２１を停止制御する後述するリール停止制御処理において、停止ボタン５が停止操作されたタイミングから各リールが停止制御され、停止表示可能な図柄送りコマ数（０〜４コマ）の最大値である４コマに対して、本実施形態では、「赤７」、「黄７」、「青７」は、６コマの間隔をもって均等に配置されているため、停止ボタン５を停止操作した場合のタイミングで停止制御される「７」は、重複しないようになっている。
停止表示可能な図柄送りコマ数の範囲内に、各「７」が重複して存在している場合には、重複した図柄に対応する一方の特定役に当せんしているときには、重複した範囲で遊技者が停止ボタン５を停止操作すると、取りこぼすことなく、当該一方の特定役に対応する図柄の組合せを停止表示できてしまう。
そこで、本実施形態では、各「７」は、停止表示可能な図柄送りコマ数（０〜４コマ）の最大値である４コマを超える間隔である６コマの間隔をもって配置してある。
これにより、各「７」の停止表示可能な図柄コマ数の範囲は、特有の範囲として一義的に定まるため、遊技者が行う停止ボタンの停止操作も択一的な選択となり、内部抽せん確率に基づいた公正、かつ、平等な遊技性を担保しつつ、特定役に当せんした１回のゲームの重みを増大させることができる。
また、均等に６コマの間隔をもって配置されているため、いずれかの小役に対応する図柄の組合せを選択し、当該小役に対応する図柄の組合せを構成する「７」の「目押し」を行う場合、タイミングが図り易く、目的とする「７」を容易に停止表示できるようになっている。
【００５５】
また、本発明に係る再遊技役に対応する図柄の組合せ「リプレイ・リプレイ・リプレイ」（図９参照）を構成する図柄「リプレイ」は、図４に示すように、各リール２１において、停止表示可能な図柄送りコマ数の最大値（４コマ）を超えない間隔をもって配置されている。
これにより、リール停止制御処理において、遊技者の停止ボタン５の停止操作のタイミングに拘わらず、「リプレイ・リプレイ・リプレイ」を、有効ラインに沿って停止表示できるようになっている。
同様に、本発明に係る特別役であるＳＣＴ（シングルチャレンジタイム）に対応する図柄の組合せ「リプレイ・リプレイ・オレンジ」（図９参照）を構成する図柄「オレンジ」及び、同じく本発明に係る特別役であるＳＢ（シングルボーナス）に対応する図柄の組合せ「リプレイ・リプレイ・ベル」（図９参照）を構成する図柄「ベル」は、図４に示すように、右リール２１ｃにおいて、停止表示可能な図柄送りコマ数の最大値（４コマ）を超えない間隔をもって配置されている。
これにより、リール停止制御処理において、遊技者の停止ボタン５の停止操作のタイミングに拘わらず、上記各図柄を、有効ラインに沿って停止表示できるようになっている。
【００５６】
また、後述する小役Ｅに対応する図柄の組合せ「チェリー・ＡＮＹ・ＡＮＹ」（「ＡＮＹ」は、中リール２１ｂ，右リール２１ｃに表された全ての図柄（図４参照）が対象となることを意味する。）（図９参照）を構成する図柄「チェリー」は、以下のように配置されている。
小役Ｅは、中リール２１ｂ，右リール２１ｃに停止表示される図柄の種類は問わないため、「チェリー」のみが、図３に示す「上ａ，中ａ，下ａ」のいずれかの停止位置に停止表示されれば足りる。
そこで、図４に示すように、回転中の左リール２１ａに対応する停止ボタン５ａの停止操作タイミングにおいて、「上ａ，中ａ，下ａ」のいずれかに「チェリー」が位置する場合（３コマ）と、「上ａ，中ａ，下ａ」に位置しない場合であっても、少なくとも「上ａ」の停止位置まで図柄送り可能な最大のコマ数（４コマ）との合計である７コマの範囲内に各「チェリー」が配置されるようになっている。
これより、リール停止制御処理において、遊技者の停止ボタン５の停止操作のタイミングに拘わらず、「チェリー」を左リール２１ａの「上ａ，中ａ，下ａ」のいずれかの停止位置に停止表示できるようになっている。
【００５７】
また、後述する小役Ｄに対応する図柄の組合せ「ベル・ベル・ベル」（図９参照）を構成する図柄「ベル」は、図４に示すように、右リール２１ｃと中リール２１ｂにおいて、停止表示可能な図柄送りコマ数の最大値（４コマ）を超えない間隔をもって配置されている。
また、左リール２１ａにおいては、上記の「チェリー」と同様に、７コマの範囲内に各「ベル」が配置されるようになっている。
これにより、リール停止制御処理において、遊技者が左リール２１ａに対応する停止ボタン５ａを最初に停止操作する場合において、「ベル」を左リール２１ａの「上ａ，中ａ，下ａ」のいずれかの停止位置に停止表示できるため、停止操作のタイミングに拘わらず、「ベル・ベル・ベル」を、有効ラインに沿って停止表示できるようになっている。
【００５８】
そして、これらのリール２１ａ〜２１ｃに表された図柄が、スタートレバー４が押下操作されることで、下方向に回転するとともに、対応する停止ボタン５ａ〜５ｃが押下操作されることで、各リール２１ａ〜２１ｃに表された縦方向に連続して隣接する三つの図柄が、上述した表示窓３の有効ライン１〜５に沿って停止し、停止表示された停止図柄の組合せによって、遊技価値が付与される（図９参照）。
【００５９】
このような三つのリール２１ａ〜２１ｃは、制御部１０とドラムユニット２０のモータ駆動回路２２及び回胴位置検出部２４によって駆動制御及び停止制御される。制御部１０では、前述の回胴位置検出部２４から入力される基準位置を示すマーカー信号に基づき、各リール２１ａ〜２１ｃの現在の回転位置を常時監視するようになっている。
ドラムユニット２０では、三つのリール２１ａ〜２１ｃは対応する三つのステッピングモータ２３ａ〜２３ｃによってそれぞれ回転自在に保持されており、スタートレバー４及び停止ボタン５ａ〜５ｃが押下操作されることで、モータ駆動回路２２に制御部１０からパルス（駆動）信号が入力され、ステッピングモータ２３ａ〜２３ｃを駆動して（図５参照）、対応するリール２１ａ〜２１ｃの回転の始動，定速回転及び停止の制御が行われる。
【００６０】
そして、遊技者が停止ボタン５を押下したタイミングに基づき、制御部１０で行われる内部抽せんにおける当せん内容に応じてリール２１の停止位置が制御されて、各リール２１ａ〜２１ｃの現在の停止可能な回転位置から所定の図柄送りコマ数の範囲内（０〜４コマの範囲内）で、当せん内容に対応する図柄が有効ライン１〜５に停止するように、リール２１が停止制御されることになる。
これにより、スタートレバー４からのスタート信号を契機として制御部１０で内部抽せんが行われ、制御部１０からのパルス信号によりドラムユニット２０が制御されることで、停止ボタン５が押下されるタイミングに基づく所定の図柄送りコマ数の範囲内で、当せん内容に応じた図柄の組合せが有効ライン上に停止表示されるよう、各リール２１ａ，２１ｂ，２１ｃが停止制御されることになる。
【００６１】
メダル払出装置３０は、筐体内のドラムユニット２０の下側に配設されるメダル払出用の装置であり、払出用のメダルを収納するホッパー３１と、ホッパー３１に設けられたメダル払出モータを駆動制御して所定数のメダルを排出させるホッパー駆動回路３２と、排出されたメダルの枚数を所定のセンサによって検出して払出信号として制御部１０に出力するメダル検出部３３と、を備えている（図５参照）。
そして、このメダル払出装置３０から排出されるメダルが、前扉１ａの遊技メダル払出口８からスロットマシン前面に払い出されて遊技者に提供されることになる。
【００６２】
［制御部］
次に、スロットマシン１全体を制御する制御部１０について、図５、図６を参照して説明する。
図５は、本実施形態に係る制御部及びその周辺構成の概略を示すブロック図であり、図６は、本実施形態に係る制御部において実行される制御の流れを示すフローチャートである。
図５に示すように、本実施形態の制御部１０は、上述したスロットマシン１の各部を制御する、ＩＣ，メモリ，各種回路基板等を備えたマイクロコンピュータを有する制御基板として構成され、筐体１ｂの後部に配設されている。
具体的には、制御部１０は、ＣＰＵ１１と、当該ＣＰＵ１１に内蔵され記憶手段であるＲＯＭ１１ａ及びＲＡＭ１１ｂ、基準クロックを発生する本体クロック発生回路１２、乱数発生のための基準クロックを生成する乱数クロック発生回路１４、内部抽せん用の乱数を生成する乱数カウンタ１３、各表示部２ａ〜２ｃを駆動する表示部駆動回路１５等を備えている。
そして、制御部１０では、ＲＯＭ１１ａに記憶されたプログラムやデータに基づき、スロットマシン１全体を制御する処理が実行されるようになっている。
【００６３】
具体的には、制御部１０において、メダル投入を監視し、ゲーム可能な状態とし、スタートレバー４の操作のタイミングで、各リールを回転制御するとともに、所定の抽せん確率に基づき内部抽せんを行い、当せん内容を決定し、遊技者による停止ボタン５の停止操作のタイミングに基づき、当せん内容に対応する停止図柄の組合せで停止表示されるよう、各リール２１を停止制御する。
さらに、停止表示された停止図柄の組合せを判定して、図柄の組合せに応じて、所定数のメダルを払出したり、通常遊技、ボーナス遊技、メダルを投入することなく次回遊技可能となる再遊技役が高確率で抽せんされるリプレイタイムを含む複数の遊技状態に移行させたりするゲーム管理を行うようになっている。
以下、図６のフローチャートに基づき、制御部１０で実行される処理の流れを詳細に説明する。
【００６４】
まず、スロットマシン１が電源投入されると、初期化処理が行われるようになっている（Ｓ１）。初期化処理では、ＲＡＭ１１ｂの作業領域を初期化するとともに、各種の初期設定が行われる。初期設定では、遊技状態を管理するゲームモードフラグを設定する処理も行われる。
本実施形態では、遊技状態として、通常遊技、ボーナス遊技、メダルを投入することなく次回遊技が可能となる再遊技役が高確率で抽せんされるリプレイタイム（ＲＴ）が設けられている。
リプレイタイム（ＲＴ）は、継続する遊技回数の異なる３種類のリプレイタイム（ＲＴ１，ＲＴ２，ＲＴ３）が設定され、各リプレイタイム（ＲＴ１，ＲＴ２，ＲＴ３）では、通常遊技より、再遊技役が抽せんされる確率が高く設定された遊技状態となっている。
通常遊技においても、再遊技役は抽せんされる抽せん対象となっているため、再遊技役の抽せん確率で比較すると、リプレイタイム（ＲＴ１，ＲＴ２，ＲＴ３）（高確率）＞通常遊技（低確率）、となる関係が成り立つようになっている。
なお、ボーナス遊技においては、再遊技役は抽せんされないようになっている。
【００６５】
本実施形態におけるリプレイタイム（ＲＴ１，ＲＴ２，ＲＴ２）の移行条件と終了条件との関係を図７に示す。
同図に示すように、リプレイタイム（ＲＴ１，ＲＴ２，ＲＴ３）は、いずれかの特定役に当せんするとともに、対応する特定図柄の組合せの停止表示により移行し、停止表示させた各特定図柄の組合せに対応する遊技回数までリプレイタイムが継続した後、通常遊技に移行するようになっている。なお、リプレイタイムの間に、ボーナス役に当せんし、かつ、ボーナス役に対応する図柄の組合せ（以下、ボーナス図柄という。）が停止表示された場合には、通常遊技に移行するようになっている。
なお、リプレイタイムは、当該リプレイタイムの間に再びいずれかの特定図柄の組合せが停止表示されても、新たに更新されることはなく、当該リプレイタイムの間にボーナス役に当せんしない限り、対応する規定の遊技回数までリプレイタイムが継続し、その後、通常遊技に移行するようになっている。
また、本実施形態では、電源投入時の遊技状態は、通常遊技から開始されるように設定されている。
このため、初期設定では、電源投入時の遊技状態を管理するため、ゲームモードフラグを通常遊技に設定する処理を行うようになっている。
【００６６】
本実施形態におけるゲームモードフラグと遊技状態の関係を図８に示す。
ゲームモードフラグは、スロットマシン１の遊技状態を管理するフラグであり、同図に示すように、ＲＡＭ１１ｂに設けられたゲームモード領域にビット単位で設定されるようになっている。
具体的には、「ビット０」に「１」をセットで通常遊技、「ビット１」に「１」をセットでリプレイタイム（ＲＴ１）、「ビット２」に「１」をセットでリプレイタイム（ＲＴ２）、「ビット３」に「１」をセットでリプレイタイム（ＲＴ３）、「ビット４」に「１」をセットでボーナス遊技となり、設定されたビット毎のゲームモードフラグを１ゲーム毎に参照することで、スロットマシン１が各遊技状態となるように制御される（ゲーム管理手段）。
そして、初期設定では、通常遊技となるように、同図における「ビット０」に「１」をセットし、その他のビットは、「０」でクリアされるようになっている。
これにより、電源投入後、ボーナス役に当せんし、ボーナス遊技となるか、又は、いずれかの特定役に当せんし、対応する特定図柄の組合せが停止表示され、いずれかのリプレイタイムに移行するまで、通常遊技が継続されるようになっている。
【００６７】
次に、制御部１０では、メダル投入を監視するメダル投入処理を行う（Ｓ２）。
メダル投入処理では、具体的には、メダルセレクタ６ａからのメダル信号及びＢＥＴボタン７（ＭＡＸＢＥＴボタン７ａ，１ＢＥＴボタン７ｂ）からのメダル信号の入力を監視し、メダル投入口６から投入されたメダルの枚数、又はＢＥＴボタン７が押下されて賭けられたメダルの投入枚数を確認するとともに、ＢＥＴボタン７からのメダル信号に基づき、ＲＡＭ１１ｂで記憶される貯留メダル枚数を減少させる。これにより、各ゲームに賭けられる賭け数１〜３が決定されることになる。
これにより、１回のゲームがスタート可能な状態となる。
【００６８】
さらに、制御部１０は、遊技者によるスタートレバー４操作を監視し（Ｓ３）、スタートレバー４操作に伴い生成されるスタート信号が入力されると、内部抽せん処理（Ｓ４）を行うとともに、リール２１の制御信号となるパルス（駆動）信号をドラムユニット２０へ出力し、リール２１ａ〜２１ｃを回転させるリール回転制御処理を行うようになっている（Ｓ５）。
以下、本実施形態に係る内部抽せんについて説明する。
【００６９】
内部抽せんは、ゲーム毎に遊技者のスタートレバー４の操作のタイミングで行われる抽せん処理であり、カウンタＩＣ等からなる乱数カウンタ１３から取得される乱数と、ＲＯＭ１１ａに予め設定・記憶された乱数テーブルの値とを比較・判定することにより実行される。
更新範囲（０〜１６３８３）で発生する乱数カウンタ１３から出力される乱数をスタートレバー４の操作のタイミングで取得（ラッチ）し、取得された乱数を、遊技状態別の乱数テーブルの各抽せん対象に対応する当せん範囲と比較することにより、いずれの抽せん対象に対応する当せん範囲に属しているかを判定し、その属する当せん範囲が示す抽せん対象が今回ゲームの当せん内容として決定・当せんするようになっている。
【００７０】
内部抽せんにおいて抽せんされる抽せん対象には、遊技者に対して遊技価値が付与される役と呼ばれるものと、なんら遊技価値の付与されないハズレがある。
遊技価値が付与される役には、対応する停止表示される各リール２１に表された図柄の組合せにより、遊技媒体が付与される、いわゆる「入賞」となって、数枚のメダルが獲得される「小役」、遊技媒体は付与されないが、次回遊技において、メダルを投入することなく遊技可能となる「再遊技役」、遊技媒体は付与されないが、所定の小役が連続して当せんする特別な遊技状態であるボーナス遊技に移行する条件となる「ボーナス役」、遊技媒体は付与されないが、次回の一遊技が内部抽せんに基づく停止制御によらず所定の小役に対応する図柄の組合せを停止表示可能な特別な遊技状態に移行する「ＳＣＴ（シングルチャレンジタイム）」、遊技媒体は付与されないが、次回の一遊技が所定の小役が高確率で当せんする特別な遊技状態に移行する「ＳＢ（シングルボーナス）」がある。
図９に本実施形態の各役と、対応する停止表示される各リール２１に表された図柄の組合せと、付与される遊技価値との関係を示す。
【００７１】
同図に示すように、「ボーナス役」は、対応する図柄の組合せ「赤７・赤７・青７」の停止表示によりボーナス遊技に移行するようになっている。
「特別役」は、「ＳＣＴ（シングルチャレンジタイム）」と「ＳＢ（シングルボーナス）」が設定され、「ＳＣＴ」は、対応する図柄の組合せ「リプレイ・リプレイ・オレンジ」の停止表示により、次回の一遊技が所定の小役（後述する小役Ｄ、小役Ｅなど）に対応する図柄の組合せを内部抽せんに基づく停止制御によらず停止ボタン５の停止操作により停止表示可能な特別な遊技状態に移行するようになっている。「ＳＢ」は、対応する図柄の組合せ「リプレイ・リプレイ・ベル」の停止表示により、次回の一遊技が所定の小役（後述する小役Ｄ）が高確率で当せんする特別な遊技状態に移行するようになっている。
「再遊技役」は、対応する図柄の組合せ「リプレイ・リプレイ・リプレイ」の停止表示により、メダルの配当はないが、次回遊技において、メダルを投入することなく遊技をすることができるようになっている。
【００７２】
「小役」は、対応する停止図柄の組合せの違いにより、小役Ａ〜小役Ｅの５種類が設けられている。
「小役Ａ」は、本発明に係る特定役であり、対応する停止図柄の組合せ「赤７・赤７・赤７」の停止表示により、メダルが１５枚配当されるとともに、再遊技役が高確率で抽せんされる遊技回数が１５０回継続するリプレイタイム（ＲＴ１）に移行するようになっている。
「小役Ｂ」は、本発明に係る特定役であり、対応する停止図柄の組合せ「黄７・黄７・黄７」の停止表示により、メダルが１５枚配当されるとともに、再遊技役が高確率で抽せんされる遊技回数が５０回継続するリプレイタイム（ＲＴ２）に移行するようになっている。
「小役Ｃ」も同様に、本発明に係る特定役であり、対応する停止図柄の組合せ「青７・青７・青７」の停止表示により、メダルが１５枚配当されるとともに、再遊技役が高確率で抽せんされる遊技回数が１５回継続するリプレイタイム（ＲＴ３）に移行するようになっている。
「小役Ｄ」は、対応する停止図柄の組合せ「ベル・ベル・ベル」の停止表示により、メダルが１５枚配当されるようになっている。
「小役Ｅ」は、対応する停止図柄の組合せ「チェリー・ＡＮＹ・ＡＮＹ」の組合せの停止表示により、メダルが２枚配当されるようになっている。「ＡＮＹ」は、中リール２１ｂ，右リール２１ｃに表された全ての図柄（図４参照）が対象となることを意味するため、「小役Ｅ」は、左リール２１ａに「チェリー」が停止表示されることで、事実上、入賞が確定するようになっている。
【００７３】
そして、各役は、内部抽せんにおいて、単独で抽せんされる単独抽せん対象として設定される場合もあるが、複数の役が異なる組合せで組合され、複数の役に同時に当せんする重複抽せん対象として設定される場合もある。
本実施形態の内部抽せんにおける遊技状態別の抽せん対象を図１０に示す。
同図に示すように、本実施形態の抽せん対象は、単独抽せん対象、重複抽せん対象となる場合を含め、例えば、１６種類の組合せが設けられている。
本発明に係る特定役である「小役Ａ」，「小役Ｂ」，「小役Ｃ」は、同図に示すように、単独で抽せんされる単独抽せん対象として設定される場合（抽せん番号４，５，６）と、二以上の特定役が同時に当せんする重複抽せん対象として設定される場合（抽せん番号７，８，９，１０）が設けられている。
また、本発明に係る特別役である「ＳＣＴ（シングルチャレンジタイム）」と「ＳＢ（シングルボーナス）」、及び再遊技役である「リプレイ」も、同図に示すように、単独で抽せんされる単独抽せん対象として設定される場合（抽せん番号２，３，１５）と、「ＳＣＴ」と「リプレイ」及び、「ＳＢ」と「リプレイ」が同時に当せんする重複抽せん対象として設定される場合（抽せん番号１３，１４）が設けられている。
【００７４】
そして、１６種類からなる抽せん対象は、遊技状態毎で、抽せんされる確率が異なるように設定されている。
具体的には、同図に示すように、遊技状態別に異なる乱数テーブルが参照され、通常遊技では、通常遊技用の乱数テーブル、リプレイタイム（ＲＴ）では、リプレイタイム用の乱数テーブルを参照して内部抽せんが行われるようになっている。
そして、各参照される乱数テーブルは、抽せん対象毎に抽せんされる確率が異なるように、抽せん対象が当せんすることとなる当せん範囲が異なる値に設定されている。
【００７５】
同図における各乱数テーブルに表された値は、乱数の更新範囲（０〜１６３８３）における各抽せん対象が抽せんされることになる乱数の当せん範囲から算出された各抽せん対象の当せん確率を示している。各抽せん対象は、乱数カウンタ１３から出力される乱数が、抽せん対象毎にあらかじめ定められた当せん範囲に該当した場合に、当せんされるようになっている。各抽せん対象の当せん確率は、この当せん範囲の上限値から下限値を減算した値が、乱数の更新範囲（０〜１６３８３）に占める割合から算出されるようになっている。
なお、図中の「・・・」は設定されている当せん確率の所定の数値を示している。
【００７６】
ここで、「ＳＣＴ」が単独で抽せんされる抽せん番号２と、「ＳＢ」が抽せんされる抽せん番号３は、通常遊技用の乱数テーブルでは、当せん確率が「０（ゼロ）」で設定されるとともに、リプレイタイム用の乱数テーブルでは、当せん確率が「１/２１」で設定されている。
これにより、通常遊技においては、「ＳＣＴ」と「ＳＢ」に単独で当せんすることはなく、リプレイタイム（ＲＴ）のみにおいて単独で当せんするようになっている。
また、「ＳＣＴ」と「リプレイ」に同時に当せんする重複抽せん対象として設定された抽せん番号１３と、「ＳＢ」と「リプレイ」に同時に当せんする重複抽せん対象として設定された抽せん番号１４は、通常遊技用の乱数テーブルでは、当せん確率が「１/２１」で設定されるとともに、リプレイタイム用の乱数テーブルでは、当せん確率が「０（ゼロ）」で設定されている。
なお、「ＳＣＴ」又は「ＳＢ」と「リプレイ」との重複抽せん対象に当せんした場合には、後述するリール停止制御処理により、「リプレイ」に対応する図柄の組合せのみ停止表示されるようになっているため、抽せん番号１３と抽せん番号１４は、抽せん番号１５の「リプレイ」と等価な再遊技役に相当することになっている。その結果、通常遊技においては、「リプレイ」が実質、抽せん番号１３と抽せん番号１４と抽せん番号１５の各当せん確率の合計の当せん確率である「１／７」（＝[１／２１]＋[１／２１]＋[１／２１]）で当せんすることになる。
【００７７】
一方、リプレイタイム（ＲＴ）においては、「ＳＣＴ」又は「ＳＢ」と、「リプレイ」とに同時に当せんする重複抽せん対象（抽せん番号１３，抽せん番号１４）の当せん確率が「０（ゼロ）」で設定されているため、実質の「リプレイ」の当せん確率が低くなってしまう。しかしながら、抽せん番号１５の「リプレイ」に当せんする当せん確率が、上記の合計の当せん確率（「１／７」）より高い確率となる「５／７」に設定されている。
これにより、各遊技状態における「リプレイ」に当せんする当せん確率を比較すると、リプレイタイム（ＲＴ）の当せん確率（高確率）＞通常遊技の当せん確率（低確率）の関係となっている。
【００７８】
このように、リプレイタイム（ＲＴ）では、「リプレイ」に当せんする当せん確率が、通常遊技より高確率に設定されていることより、「リプレイ」が頻出するのみならず、単独で当せんする特別役「ＳＣＴ」と「ＳＢ」も所定の割合で出現するため、「リプレイ」に当せんした場合には、対応する図柄の組合せの停止表示により、メダルを投入することなく次回遊技を行うことができとともに、「ＳＣＴ」又は「ＳＢ」に当せんした場合には、対応する図柄の組合せの停止表示により、次回の１ゲームが所定の小役入賞が得られる特別な遊技状態となる。
これにより、本実施形態のリプレイタイム（ＲＴ）においては、通常遊技と異なり、「リプレイ」が高確率で頻出する遊技者に有利な遊技状態になるだけでなく、通常遊技で停止表示されることがなかった「ＳＣＴ」と「ＳＢ」に対応する図柄の組合せが停止表示されることで、メダルが獲得できるため、再遊技役が単に高確率で頻出する通常のリプレイタイムに比べ、スロットマシン１に投入するメダルに対するスロットマシンから払出されるメダルの割合である、いわゆる「出玉率」を高く設定することができる（本実施形態では、出玉率＞１として設定）。その結果、通常のリプレイタイムのような手持ちのメダルの維持ではなく、メダルを積極的に増加させることができ、遊技者の遊技意欲を向上させることができる。
【００７９】
なお、本実施形態では、リプレイタイム用の乱数テーブルにおいて、重複抽せん対象として設定されている場合も含め、各特定役に対応する小役Ａ〜小役Ｃに当せんするように設定されているが、リプレイタイム（ＲＴ）において、これらの小役Ａ〜小役Ｃに当せんし、対応する特定図柄の組合せで停止表示された場合は、対応するメダルの配当は獲得できるものの、その時点より、新たなリプレイタイム（ＲＴ）は開始しないようになっている。
但し、リプレイタイム（ＲＴ）において、これらの特定図柄の組合せで停止表示された場合に、リプレイタイムが新たに開始され、リプレイタイムが上乗せされて更新するように設定することもできる。
【００８０】
また、本実施形態では、各特定役に対応するリプレイタイム（ＲＴ１，ＲＴ２，ＲＴ３）において、同一のリプレイタイム用の乱数テーブルを用いたが、リプレイタイム（ＲＴ１，ＲＴ２，ＲＴ３）毎に異なる乱数テーブルを設定することもできる。
この場合において、例えば、他の抽せん対象の抽せん確率はそのままで、「ＳＣＴ」と「ＳＢ」に関する抽せん確率の設定のみ、リプレイタイム（ＲＴ１，ＲＴ２，ＲＴ３）毎に変更することもできる。
具体的には、「リプレイ」に高確率で当せんする遊技回数が１５０回継続するリプレイタイム（ＲＴ１）用の乱数テーブルは、図１０と同様、「ＳＣＴ」と「ＳＢ」に各々単独で当せんするように設定し、遊技回数が５０回継続するリプレイタイム（ＲＴ２）用の乱数テーブルは、抽せん番号２の「ＳＣＴ」のみ当せんするように、「ＳＣＴ」の当せん確率を「１／２１」、「ＳＢ」の当せん確率を「０（ゼロ）」とし、遊技回数が１５回継続するリプレイタイム（ＲＴ３）用の乱数テーブルは、反対に抽せん番号３の「ＳＢ」のみ当せんするように、「ＳＣＴ」の当せん確率を「０（ゼロ）」、「ＳＢ」の当せん確率を「１／２１」とすることもできる。
これにより、小役Ａに対応するリプレイタイム（ＲＴ１）は、「リプレイ」に高確率で当せんする遊技回数の違いのみならず、「ＳＣＴ」と「ＳＢ」の双方に当せんする場合があるため、リプレイタイムの中でも最も出玉率の高い遊技者に有利な遊技状態と位置づけることができ、後述する報知手段により、リプレイタイムの遊技回数の少ない特定役に対応する小役Ｂや小役Ｃを含む当せんが報知された場合でも、小役Ａに対応する図柄の「目押し」にチャレンジさせるだけの価値性が付与されることになる。
【００８１】
また、本実施形態では、通常遊技及びリプレイタイム（ＲＴ）において、「ＳＣＴ」と「ＳＢ」を抽せん対象として設定したが、「ＳＣＴ」と「ＳＢ」をすべての遊技状態の抽せん対象から除外した、単に「リプレイ」に高確率で当せんする通常のリプレイタイム（ＲＴ）として設定することもできる。この場合には、「リプレイ」の抽せん確率を本実施形態の抽せん確率より、さらに高確率（例えば、「６／７」）とすることもできる。
【００８２】
次に、上述した遊技状態別の乱数テーブルは、前述のゲームモードフラグの値を参照することで、使用する乱数テーブルが決定されるようになっている。
乱数の判定は、抽せん番号が大きな値の抽せん番号から順次行い、各抽せん対象の当せん範囲の上限値と、乱数カウンタ１３から取得された乱数と、を比較し、当該遊技における当せん内容が決定される。
決定された当せん内容は、当せんフラグによって管理されるようになっている。
図１１は、ＲＡＭ１１ｂにおける当せんした各役に対応する当せんフラグを設定する当せんフラグ領域を示す図である。
同図に示すように、当せんフラグ領域は、当せん役に対応して当せんフラグ領域１〜当せんフラグ領域３が設けられ、当せんフラグ領域１は、ボーナス役を設定する領域、当せんフラグ領域２は、再遊技役（リプレイ）を設定する領域、当せんフラグ領域３は、各種小役を設定する領域となっている。
そして、内部抽せんにおいて、当せんした当せん内容に応じた当せんフラグが設定されるようになっている。
【００８３】
例えば、図１０における、抽せん番号１の抽せん対象である「ボーナス」に当せんした場合には、当せんフラグ領域１における「ビット０」に「１」がセットされる。
また、重複抽せん対象として設定された抽せん番号７の「小役Ａ＋小役Ｂ」に当せんした場合には、当せんフラグ領域３の「ビット０」に「１」、「ビット１」に「１」が重複してセットされる。
同様に、重複抽せん対象として設定された抽せん番号１０の「小役Ａ＋小役Ｂ＋小役Ｃ」に当せんした場合には、当せんフラグ領域３の「ビット０」に「１」、「ビット１」に「１」、「ビット２」に「１」が重複してセットされる。
さらに、重複抽せん対象として設定された抽せん番号１３の「ＳＣＴ＋リプレイ」に当せんした場合には、当せんフラグ領域１の「ビット１」に「１」、当せんフラグ領域２の「ビット０」に「１」が重複してセットされる。
そして、この当せんフラグ領域のセットされたフラグを参照して、その後のリール停止制御処理や、停止図柄判定処理が行われ、停止図柄判定処理においてすべて「０」でクリアされるようになっている。
【００８４】
なお、これらの当せんフラグのうち、ボーナス役である「ボーナス」に関する当せんフラグは、対応する停止図柄の組合せ（「赤７・赤７・青７」）で停止表示されない限り、当せんフラグはクリアされず、当せんフラグが次回の遊技に持ち越されるようになっている。
一方、本発明の特定役である小役Ａ〜小役Ｃも含め、「ボーナス」以外の役はすべて、内部抽せんが行われた当該遊技限り有効で、次回の遊技にフラグが持ち越されないようになっている。
このため、特に特定役である小役Ａ〜小役Ｃに当せんし、対応する特定図柄の組合せが停止表示されない、いわゆる「取りこぼし」となった場合には、いずれの遊技回数のリプレイタイムにも移行しない、単なる「ハズレ」となり、遊技者が大きな損失を蒙ることになる。
【００８５】
なお、本実施形態では、「ボーナス」は、単独で抽せんされる単独抽せん対象として設定したが、例えば、特定役である「小役Ａ」と同時に当せんする重複抽せん対象として設定することもできる。
この場合は、「ボーナス」は、フラグ持ち越し可能である一方、「小役Ａ」は、フラグ持ち越し不可であるため、内部抽せんにおいて当該重複抽せん対象に当せんし、報知手段によって、当該当せんが報知された場合には、遊技者は、まず「ボーナス図柄」を停止表示させることなく、「小役Ａ」に入賞するように「目押し」を行うことができる。これにより、リプレイタイムＲＴ１に移行し、メダルの増加を図るとともに、この間には、「ボーナス」のフラグは持ち越されているため、ボーナス役に対応する図柄の組合せ「赤７・赤７・青７」を停止表示させない、いわゆる「ハズシ」を行うように、停止ボタン５を停止操作しつつ、リプレイタイムＲＴ１を進行させることもできる。
そして、リプレイタイムＲＴ１が遊技回数１５０回で終了した後に、ボーナス役に対応する図柄の組合せ「赤７・赤７・青７」を停止表示させるように「目押し」を行い、ボーナス遊技に移行させることもできる。
その結果、遊技者は、リプレイタイムＲＴ１の利益のみならず、ボーナス遊技の利益も余すことなく享受でき、効率良くメダルを獲得できる。
このようにフラグ持ち越し可能な「ボーナス」とフラグ持ち越し不可な特定役である「小役Ａ」と同時に当せんする重複抽せん対象を設定することで、二つのゲーム性を楽しむことができ、さらに遊技性を向上させることもできる。
なお、上記の場合では、特定役である「小役Ａ」に対応する図柄の組合せを停止表示させることで、リプレイタイムには移行するようにしたが、リプレイタイムには移行しない、単に「入賞」となる仕様とすることもできる。
【００８６】
次に、制御部１０では、各リール２１を回転制御するリール回転制御処理を行う。リール回転処理では、モータ駆動回路２２にパルス（駆動）信号を出力し、ステッピングモータ２３ａ〜２３ｃを駆動して（図５参照）、対応するリール２１ａ〜２１ｃの回転の始動，定速回転の制御が行われる。
そして、各リール２１の回転中においては、ドラムユニット２０から入力されるマーカー信号により、各リール２１ａ〜２１ｃの図柄位置を監視する処理が行われるようになっている。
具体的には、ＲＡＭ１１ｂの所定の領域には、図１２に示すように、中段（中ａ，中ｂ，中ｃ）の有効ライン１（図３参照）に位置する各リール２１ａ〜２１ｃの図柄番号を管理する図柄番号領域が、各リール単位で設けられている。
図柄番号領域は、制御部１０がモータ駆動回路２２に出力するパルス（駆動）信号が所定パルス数（各図柄間の回転角度に相当）毎に＋１更新されるとともに、各リールが一周する毎に回胴位置検出部２４から出力されるマーカー信号により、初期化（図柄番号０）されるようになっている。
すなわち、各リール２１の回転動作に同期して各図柄番号領域の値も更新され、その結果、各図柄番号領域の値は、中段（中ａ，中ｂ，中ｃ）の有効ライン１に位置する各リール２１ａ〜２１ｃの図柄番号の図柄と常に一致している（図４参照）。
これにより、後述するリール停止制御処理や停止図柄判定処理において、各図柄番号領域の値を参照することで、中段（中ａ，中ｂ，中ｃ）の有効ライン１に位置する各リール２１ａ〜２１ｃの図柄を判別することができる。
例えば、リール停止制御処理では、各リール対応する停止ボタン５が停止操作されたときの各図柄番号領域の値を参照することで、停止表示可能な図柄コマ数（０〜４コマ）の範囲内で、各リール２１を回転させて停止することで、当せん内容に対応する図柄の組合せとなるように停止制御したり、停止図柄判定処理では、各リールが停止したときの各図柄番号領域の値を参照することで、有効ライン１〜５に停止表示された図柄の組合せを判定したりすることができるようになっている。
【００８７】
次に、遊技者の停止ボタン５の停止操作により、各リール２１を停止制御する本発明の停止制御手段として機能するリール停止制御処理について説明する。
リール停止制御処理では、遊技者が各停止ボタン５を押下するタイミングで発生するストップ信号に基づき、前述した内部抽せんにおける当せん内容（当せんフラグ）に対応した図柄の組合せが停止表示されるように各リール２１を停止制御する（Ｓ６）。
具体的には、各リール２１の停止制御は、リール２１毎に、検出されたストップ信号のタイミングにおける各リールの図柄番号領域の図柄番号の値を参照し、停止表示可能な図柄コマ数の範囲内（０〜４コマ）にある当せんフラグに対応した図柄の組合せを構成する図柄を各リール毎に決定するとともに、この図柄コマ数に対応するパルス信号をモータ駆動回路２２に出力することで、目的とする停止図柄まで各リール２１を回転させた後、各リール２１を励磁して停止させる処理が行われるようになっている。
なお、当せんフラグに対応した図柄の組合せを構成する停止図柄が停止表示可能な図柄コマ数の範囲内（０〜４コマ）にない場合には、図９のいずれの停止図柄の組合せとならない「ハズレ」の組合せとなるように各リールを制御する。
【００８８】
リール停止制御処理による当せん内容（当せんフラグ）に対応した図柄の組合せの停止表示は、ＲＯＭ１１ａに予め設定・記憶された当せん内容別に設けられた停止図柄テーブルに基づき、停止制御される。
遊技者が停止ボタン５を押下するタイミングは任意であり、当該タイミングにおける各リール２１の中段（中ａ，中ｂ，中ｃ）の有効ライン１に位置する図柄は各リール２１に表されたすべての図柄が対象となるため、停止図柄テーブルには、各リールに表されたすべての図柄に対応して「０〜４コマ」の図柄送りコマ数が割り振られている。
なお、図柄送りコマ数の「０コマ」は、停止ボタン５の停止操作タイミングでリール２１を停止させる、すなわち、停止操作タイミングにおけるリール２１の中段（中ａ，中ｂ，中ｃ）の有効ライン１に位置する図柄で停止させることを意味する。
【００８９】
このような停止図柄テーブルは、当せん内容別、つまり、抽せん対象毎に設けられるとともに、各リール毎に独立した停止図柄テーブルが設定されている。
さらに、同一の抽せん対象に当せんした場合でも、停止ボタン５の停止操作の順番により、各リール毎に異なる停止図柄テーブルが選択されるようになっている。
すなわち、本実施形態の場合は、各リール２１を停止ボタン５の停止操作の順番で停止させるとともに、停止ボタン５の停止操作タイミングから停止表示可能な図柄コマ数（０〜４コマ）の範囲内に当せん内容に対応した図柄の組合せを構成する図柄が位置する場合には、当該図柄をいずれかの有効ライン１〜５に停止表示させるようになっている。その結果、同一のリールでも、最初に停止される場合と、最後に停止される場合では、停止可能な範囲が異なるようになる。つまり、最初に停止される場合は、「上，中，下」にいずれかの停止位置に目的とする図柄を停止させればよいが、最後に停止される場合は、先に停止させたリールの図柄の停止位置に拘束され、一つの有効ラインに沿って目的とする図柄を停止させなければならず、停止位置が「上，中，下」のいずれか一つに限定される。
このために、同一の抽せん対象に当せんした場合でも、停止ボタン５の停止操作の順番により、異なる停止図柄テーブルを選択しなければならないようになっている。
【００９０】
また、停止ボタン５の停止操作タイミングから停止表示可能な図柄コマ数（０〜４コマ）の範囲内に当せん内容に対応した図柄の組合せを構成する図柄が存在しないタイミングで停止ボタン５が停止操作された場合には、図９におけるいずれの役に相当しない「ハズレ」となるように、停止図柄テーブルの値が割り振られている。この場合には、「ボーナス」以外の役は、フラグが次回の遊技に持越しができないため、いわゆる「取りこぼし」となり、遊技者は、大きな損失を蒙ることになる。
以下に、本実施形態の当せん対象のリール停止制御処理について具体的に説明する。
【００９１】
前述したように、「リプレイ」、「ＳＣＴ」、「ＳＢ」の各役に対応する図柄の組合せを構成する図柄である各リール２１の「リプレイ」、右リール２１ｃの「ベル」と「オレンジ」に関しては、図４に示すように、停止ボタン５の停止操作タイミングのときの「中ａ，中ｂ，中ｃ」に位置する図柄がいかなる図柄であっても、停止ボタンの停止操作の順番により限定された停止位置「上，中，下」のいずれにも停止表示可能なように図柄送りコマ数（０〜４コマ）の最大値の範囲内に必ず配置されている。
このため、単独抽せん対象として設定されているか又は重複抽せん対象として設定されているかを問わず、また、停止ボタンの停止操作の順番に拘わらず、図１０における抽せん番号２の「ＳＣＴ」、抽せん番号３の「ＳＢ」、抽せん番号１１の「小役Ｄ」、抽せん番号１３の「ＳＣＴ＋リプレイ」、抽せん番号１４の「ＳＢ＋リプレイ」に当せんした場合に選択される停止図柄テーブルは、対応する図柄の組合せが、いずれかの有効ライン１〜５に沿って停止表示されるように設定されている。
【００９２】
なお、抽せん番号１３の「ＳＣＴ＋リプレイ」、抽せん番号１４の「ＳＢ＋リプレイ」に当せんした場合には、「リプレイ」が優先して成立するように設定されている。上記のように、各リール２１の「リプレイ」は、停止表示可能な図柄コマ数（０〜４コマ）の最大値の範囲内に必ず配置されているため、抽せん番号１３の「ＳＣＴ＋リプレイ」、抽せん番号１４の「ＳＢ＋リプレイ」に当せんした場合に選択される停止図柄テーブルは、必ず「リプレイ・リプレイ・リプレイ」が停止表示されるように設定されている。
その結果、通常遊技において、これらの抽せん対象に当せんした場合には、「ＳＣＴ」及び「ＳＢ」に対応する図柄の組合せは停止表示されず、「リプレイ・リプレイ・リプレイ」が停止表示されるため、これらの抽せん対象は、単独抽せん対象として設定された抽せん番号１５の「リプレイ」と等価な機能を果たすことになる。
一方、リプレイタイム（ＲＴ）においては、「ＳＣＴ」及び「ＳＢ」は前述のように単独抽せん対象としてのみ出現するように抽せん確率が設定されているため、抽せん番号２の「ＳＣＴ」又は抽せん番号３の「ＳＢ」に当せんした場合に選択される停止図柄テーブルは、取りこぼすことなく「リプレイ・リプレイ・オレンジ」又は「リプレイ・リプレイ・ベル」が停止表示されるように設定されている。
【００９３】
また、前述したように小役Ｅに対応する図柄の組合せ「チェリー・ＡＮＹ・ＡＮＹ」を構成する左リール２１ａの「チェリー」に関しては、図４に示すように、７コマの範囲内で配置されている。
「ＡＮＹ」は、中リール２１ｂ，右リール２１ｃに停止表示される図柄の種類は問わないことを意味するため、「チェリー」のみが、「上ａ，中ａ，下ａ」のいずれかの停止位置に停止表示されるように停止制御すれば足りる。
そこで、小役Ｅに当せんした場合に選択される停止図柄テーブルは、回転中の左リール２１ａに対応する停止ボタン５ａの停止操作タイミングにおいて、「上ａ，中ａ，下ａ」のいずれかに「チェリー」が位置する場合は、その時点で左リール２１ａが停止されるように設定されており、「上ａ，中ａ，下ａ」に位置しない場合は、少なくとも「上ａ」の停止位置まで左リール２１ａを回転させる図柄送りコマ数が設定されている。
つまり、「チェリー」は、「上ａ，中ａ，下ａ」のいずれかに位置する場合の「３コマ」と、少なくとも「上ａ」の停止位置まで左リール２１ａを回転させる図柄送りコマ数の最大値の「４コマ」の合計である「７コマ」の範囲内に必ず配置されているため、抽せん番号１２の「小役Ｅ」に当せんした場合に選択された停止図柄テーブルは、「チェリー・ＡＮＹ・ＡＮＹ」が、いずれかの有効ライン１〜５に沿って停止表示されるように設定されている。
【００９４】
また、前述したように小役Ｄに対応する図柄の組合せ「ベル・ベル・ベル」を構成する「ベル」に関しては、図４に示すように、中リール２１ｂと右リール２１ｃにおいては、停止ボタン５の停止操作タイミングのときの「中ｂ，中ｃ」に位置する図柄がいかなる図柄であっても、停止ボタンの停止操作の順番により限定された停止位置「上，中，下」のいずれにも停止表示可能なように図柄送りコマ数（０〜４コマ）の最大値の範囲内に必ず配置されているが、左リール２１ａにおいては、７コマの範囲内で配置されている。
そこで、小役Ｄに当せんした場合に左リール２１ａを停止制御する停止図柄テーブルは、上記の「チェリー」と同様、回転中の左リール２１ａに対応する停止ボタン５ａの停止操作タイミングにおいて、「上ａ，中ａ，下ａ」のいずれかに「ベル」が位置する場合は、その時点で左リール２１ａが停止されるように設定されており、「上ａ，中ａ，下ａ」に位置しない場合は、少なくとも「上ａ」の停止位置まで左リール２１ａを回転させる図柄送りコマ数が設定されている。
つまり、「ベル」は、「上ａ，中ａ，下ａ」のいずれかに位置する場合の「３コマ」と、少なくとも「上ａ」の停止位置まで左リール２１ａを回転させる図柄送りコマ数の最大値の「４コマ」の合計である「７コマ」の範囲内に必ず配置されているため、抽せん番号１１の「小役Ｄ」に当せんした場合に選択された停止図柄テーブルは、左リール２１ａに対応する停止ボタン５ａを最初に停止操作するときには、「ベル・ベル・ベル」が、いずれかの有効ライン１〜５に沿って停止表示されるように設定されている。
【００９５】
一方、本発明の特定役である「小役Ａ」、「小役Ｂ」、「小役Ｃ」に対応する特定図柄の組合せ「赤７・赤７・赤７」、「黄７・黄７・黄７」、「青７・青７・青７」を構成する図柄である「赤７」、「黄７」、「青７」は、図４に示すように、各リールにおいて一種類ずつしか存在しない。
このため、いずれかの小役に当せんしても、停止ボタン５を停止操作したタイミングにおいて、停止表示可能な図柄コマ数（０〜４）の範囲内に、対応する色の図柄「７」が位置しないことがある。
ここで、具体的に、抽せん番号４の「小役Ａ」、抽せん番号５の「小役Ｂ」、抽せん番号６の「小役Ｃ」に当せんした場合に選択される停止図柄テーブルについて説明する。
【００９６】
図１３は、抽せん番号４の「小役Ａ」に当せんし、左リール２１ａ及び中リール２１ｂが既に停止制御され、有効ライン１に沿って、右リール２１ｃにおける「赤７」を停止位置「中ｃ」に停止制御する場合に選択される停止図柄テーブル１と、抽せん番号５の「小役Ｂ」に当せんし、左リール２１ａ及び中リール２１ｂが既に停止制御され、有効ライン１に沿って、右リール２１ｃにおける「黄７」を停止位置「中ｃ」に停止制御する場合に選択される停止図柄テーブル２と、抽せん番号６の「小役Ｃ」に当せんし、左リール２１ａ及び中リール２１ｂが既に停止制御され、有効ライン１に沿って、右リール２１ｃにおける「青７」を停止位置「中ｃ」に停止制御する場合に選択される停止図柄テーブル３を示す図である。
同図に示す各停止図柄テーブルには、停止ボタン５ｃの停止操作タイミングにおける右リール２１ｃの図柄番号に対応して０〜４コマの図柄コマ数が割り振られており、この図柄コマ数に従って停止ボタン５ｃの停止操作タイミングから右リール２１ｃが回転制御され、停止されるようになっている。なお、図中の「＊」は、０〜４コマのいずれかの値を示すとともに、当せんした小役に対応する「７」が停止表示されず、かつ、図９に示すいずれの役に対応する図柄の組合せとならない値が設定されている。
【００９７】
各停止図柄テーブルに示すように、各「７」を停止位置「中ｃ」に停止表示可能な停止ボタン５ｃの停止操作タイミングにおける右リール２１ｃの図柄は、限定されるようになっている。
例えば、停止図柄テーブル１においては、図柄番号「０、１７〜２０」に該当する図柄で、停止ボタン５ｃの停止操作タイミングが生じたときのみ、「赤７」が「中ｃ」に停止表示され、それ以外の図柄番号に該当する図柄で、停止ボタン５ｃの停止操作タイミングが生じたときは、「赤７」以外の図柄が停止表示されるように設定されている。
停止図柄テーブル２及び３においても同様で、「黄７」、「青７」を停止表示可能な図柄番号に該当する図柄は、限定されている。
【００９８】
このことは、右リール２１ｃの各「７」のみならず、図４に示すように、左リール２１ａ及び中リール２１ｂにおける各「７」も、右リール２１ｃと同様、一種類ずつしか存在しないため、停止表示可能な図柄番号に該当する図柄は、限定されることになる。
つまり、二つのいずれかのリール２１が既に停止制御され、既に停止された二つのリール２１において、いずれかの有効ライン１〜５に沿って、同色の「７」が並んだ、いわゆる「リーチ」の状態にあったとしても、最後に停止操作する停止ボタン５の操作タイミング次第で、当せんした小役に対応する特定図柄の組合せが停止表示されるか、又は、当せんした小役に対応する特定図柄の組合せが停止表示されない、いわゆる「取りこぼし」となるかが決定されるように設定されている。
これにより、本発明の特定役である抽せん番号４の「小役Ａ」、抽せん番号５の「小役Ｂ」、抽せん番号６の「小役Ｃ」に当せんし、後述する報知手段によって、各当せん内容に関する情報が報知された場合には、遊技者は、「取りこぼし」とならないように、各小役に対応する特定図柄の組合せを構成する色の「７」を慎重に「目押し」することになり、スリルのあるゲームを興趣することができる。
【００９９】
また、二つ以上の特定役に同時に当せんする重複抽せん対象として設定された抽せん番号７〜１０に当せんした場合においても、同様に停止表示可能な図柄番号に該当する図柄は、限定される。
前述したように、「小役Ａ」、「小役Ｂ」、「小役Ｃ」に対応する特定図柄の組合せを構成する図柄である「赤７」、「黄７」、「青７」は、図４に示すように、６コマの間隔をもって、各リール２１において均等に配置されている。
その結果、有効ライン１〜５に沿って停止表示可能な、「７・７・７」の組合せは、自ずと一つに限定され、いずれかの小役に対応する図柄の組合せのみ停止表示可能となる。
すなわち、たとえ、「赤７・赤７・赤７」、「黄７・黄７・黄７」、「青７・青７・青７」のいずれかの特定図柄の組合せの停止表示によりリプレイタイムに移行する、「小役Ａ」と「小役Ｂ」と「小役Ｃ」に同時に当せんする重複抽せん対象として設定された抽せん番号１０に当せんしたとしても、いずれか一つの特定図柄の組合せのみ停止表示可能なため、遊技者は、いずれかの特定図柄の組合せを構成する図柄の「７」を択一的に選択して「目押し」を行うことになる。
そのため、例えば、既に左リール２１ａ及び中リール２１ｂが停止制御され、既に停止された二つのリール２１において、有効ライン１に沿って、「赤７」が並んだ、いわゆる「リーチ」の状態にある場合には、上記の単独抽せん対象として設定された抽せん番号４の「小役Ａ」と同様に、右リール２１ｃを停止制御する停止図柄テーブル１が選択される。その結果、「赤７」を停止表示可能な図柄番号に該当する図柄は限定され、最後に停止操作する停止ボタン５の操作タイミング次第で、「赤７・赤７・赤７」が停止表示されるか、又は、「取りこぼし」となるかが決定されるようになっている。
なお、上記の例では、停止図柄テーブル１が選択されたが、前述したように、各「７」の停止表示可能な図柄コマ数の範囲は重複しないため、いずれの色の「７」が並んだ「リーチ」の状態においても共通して選択されるように停止図柄テーブル１〜３を結合した停止図柄テーブルを作成し、これを選択することもできる。
これにより、二つ以上の特定役に同時に当せんする重複抽せん対象として設定された抽せん番号７〜１０に当せんし、後述する報知手段によって、各当せん内容である重複抽せん対象に関する情報（例えば、対応する図柄の色の「７」）が確実に報知された場合には、遊技者は、リプレイタイムが継続する遊技回数の多い小役に対応する特定図柄の組合せを構成する色の「７」を選択するとともに、「取りこぼし」とならないように、慎重に該当する「７」を「目押し」することになる。
このように、二つ以上の特定役に同時に当せんする重複抽せん対象として設定された抽せん番号７〜１０に当せんした場合においても、停止表示可能な特定図柄の組合せは一つに限られるため、遊技者は、一の特定図柄の組合せを選択して停止ボタン５を停止操作する択一的な選択を行うようになっている。
【０１００】
次に、「ボーナス役」に対応する「赤７・赤７・青７」となる図柄の組合せを構成する図柄も、上記の小役Ａと小役Ｃに対応する特定図柄の組合せを構成する図柄である「赤７」と「青７」を兼用しているため、上記の小役Ａ及び小役Ｃに当せんした場合と同様な停止図柄テーブルが選択されることで、各リールが停止制御され、「赤７・赤７・青７」が停止表示されるようになっている。
また、抽せん番号１６の抽せん対象である「ハズレ」に当せんした場合には、ハズレ専用の停止図柄テーブルが選択されることで、各リールが停止制御され、図９に示すいずれの組合せにも該当しないハズレの組合せが停止表示される。
以上のように、リール停止制御処理においては、前述した内部抽せんにおける当せん内容（当せんフラグ）に対応する停止図柄テーブルが選択されることで、当該当せん内容に対応する図柄の組合せが停止表示されるように各リール２１が停止制御される。
【０１０１】
なお、本実施形態では、特定役に対応する特定図柄の組合せ「赤７・赤７・赤７」と、「ボーナス役」に対応する図柄の組合せ「赤７・赤７・青７」は、左リール２１ａ及び中リール２１ｂに対応する図柄は共通の「赤７」で構成されるとともに、右リール２１ｃのみ図柄の種類の異なる「青７」で構成されるようにしてある。
その結果、抽せん番号１６の抽せん対象である「ハズレ」に当せんした場合において、左リール２１ａ及び中リール２１ｂに「赤７」がリーチ状態となる割合を多く含む停止図柄テーブルを設定することで、通常遊技において、「赤７」のリーチを頻出させることができる。このリーチ演出により、遊技者は、特定役である「小役Ａ」の当せんか、「ボーナス役」の当せんかを期待することになり、通常遊技における遊技者の飽きが防止され、期待感を持続して遊技を進行させることができる。
【０１０２】
次に、制御部１０では、上記のようなリール停止制御処理に続いて、図６に示すように、停止表示された停止図柄の組合せを判定する停止図柄判定処理（Ｓ７）が行われるようになっている。
停止図柄判定処理は、停止時の各リールの図柄番号領域における図柄番号を参照することで、停止図柄の組合せを判定する。
各リールの図柄番号領域における図柄番号は、前述したように、中段（中ａ，中ｂ，中ｃ）の有効ライン１に位置する各リール２１ａ〜２１ｃの図柄番号と一致しているため、中段（中ａ，中ｂ，中ｃ）の有効ライン１に位置する各リール２１ａ〜２１ｃの図柄を判別することで、すべての有効ライン１〜５に停止表示された図柄の組合せを、図４に示す図柄の配列に基づき、判定することができる。
そして、判定された停止図柄の組合せが、内部抽せんにおいて当せんした当せんフラグに対応した停止図柄の組合せ（図９参照）か否か判定し、合致していた場合には、当せんフラグに対応したその後の処理を行うようになっている。
以下、当せんフラグが、ボーナス役、特別役、再遊技役、各小役の場合について説明する。
【０１０３】
「ボーナス役」に対応する図１１に示す当せんフラグ領域１の「ビット０」に「１」がセットされ、かつ、対応する停止図柄の組合せである「赤７・赤７・青７」で停止したと判定した場合には、当該領域を「０」でクリアするとともに、図８におけるゲームモードフラグをボーナス遊技に該当する「ビット４」に「１」をセットし、他のビットを「０」でクリアすることで、ボーナス遊技に移行するようになっている。
一方、当せんした当せんフラグが、ボーナス役であるにも拘わらず、対応する停止図柄の組合せである「赤７・赤７・青７」で停止していないと判定した場合には、当せん時にセットされた図１１における当せんフラグ領域１の対応する「ビット０」を「０」でクリアせずに、そのままにし、ボーナス役の当せんフラグを次回遊技に持ち越すようになっている。
この状態は、次回遊技においても、対応する停止図柄の組合せである「赤７・赤７・青７」で停止しない限り、継続されるようになっている。
【０１０４】
ボーナス遊技では、所定の小役が非常に高い確率で当せん・入賞する状態となり、ボーナス遊技における獲得メダル枚数が、規定枚数を超えると、ボーナス遊技が終了するようになっている。
なお、本実施形態では、特定役である小役Ａ〜小役Ｃのいずれかに当せんし、対応する特定図柄の組合せの停止表示により、リプレイタイム（ＲＴ１，ＲＴ２，ＲＴ３）に移行するようになっているが、これに加え、ボーナス役に当せんし、ボーナス遊技終了後に、リプレイタイムに移行するようにすることもできる。
【０１０５】
次に、停止図柄判定処理において当せんフラグが、特別役（「ＳＣＴ」，「ＳＢ」）の場合について説明する。
特別役である「ＳＣＴ」に対応する図１１に示す当せんフラグ領域１の「ビット１」に「１」がセットされ、かつ、対応する停止図柄の組合せが「リプレイ・リプレイ・オレンジ」で停止したと判定した場合には、当該領域を「０」でクリアすると同時に、次回の一遊技のみ、内部抽せんに基づくリール停止制御によらずに、小役Ｄや小役Ｅに対応する図柄の組合せ、又は、この遊技限りに有効となるメダルの配当が得られる所定の図柄の組合せを、遊技者の停止ボタン５の停止操作タイミングによって停止表示できるゲームに移行するようになっている。
また、特別役である「ＳＢ」に対応する図１１に示す当せんフラグ領域１の「ビット２」に「１」がセットされ、かつ、対応する停止図柄の組合せが「リプレイ・リプレイ・ベル」で停止したと判定した場合には、当該領域を「０」でクリアすると同時に、次回の一遊技のみ、小役Ｄに高確率で当せんするゲームに移行するようになっている。
【０１０６】
また、停止図柄判定処理における当せんフラグが、再遊技役の場合については以下のようになっている。
再遊技役に対応する図１１に示す当せんフラグ領域２の「ビット０」に「１」がセットされ、かつ、対応する停止図柄の組合せが「リプレイ・リプレイ・リプレイ」で停止したと判定した場合には、当該領域を「０」でクリアすると同時に、次回遊技において、メダル投入することなく遊技可能となるよう、図６に示すように、前述したメダル投入処理が終了した後の遊技状態に移行させるようになっている（Ｓ８）。
【０１０７】
当せんフラグが小役の場合は、以下のような処理が行われる。
各小役に対応する停止図柄の組合せで停止したと判定した場合は、図６に示すように、メダルが獲得される「入賞」として判定され（Ｓ９）、当せん時にセットされた図１１における当せんフラグ領域３の各小役に対応する「ビット」を「０」でクリアし、その後、メダル払出処理（Ｓ１０）に移行するようになっている。
一方、各小役に対応する停止図柄の組合せで停止されず、いわゆる「取りこぼし」と判定された場合には、上記と同様、当せん時にセットされた図１１における当せんフラグ領域３の各小役に対応する「ビット」を「０」でクリアし、内部抽せんにおいて上記のボーナス役、特別役、再遊技役、小役のいずれにも該当しない「ハズレ」と同様、メダル投入処理（Ｓ２）以前の遊技状態に移行するようになっている。
【０１０８】
なお、本発明の特定役である小役Ａ、小役Ｂ、小役Ｃに対応する特定図柄の組合せが停止表示された場合には、上記のメダル払出処理（Ｓ１０）が終了した後さらに、各小役に対応した遊技回数継続するリプレイタイム（ＲＴ１，ＲＴ２，ＲＴ３）に移行するようになっている。
すなわち、小役Ａに対応する停止図柄の組合せである「赤７・赤７・赤７」で停止表示された場合には、１５０回の遊技回数継続するリプレイタイム（ＲＴ１）に移行し、小役Ｂに対応する停止図柄の組合せである「黄７・黄７・黄７」で停止表示された場合には、５０回の遊技回数継続するリプレイタイム（ＲＴ２）に移行し、小役Ｃに対応する停止図柄の組合せである「青７・青７・青７」で停止表示された場合には、１５回の遊技回数継続するリプレイタイム（ＲＴ３）に移行する。
【０１０９】
リプレイタイム（ＲＴ）に移行すると、前述したように、内部抽せんにおいてリプレイタイム用の乱数テーブルが参照され、「リプレイ」に「５／７」の高確率で当せんし、さらに、「ＳＣＴ」と「ＳＢ」に「１／２１」の抽せん確率で当せんする遊技状態となる。その結果、「リプレイ・リプレイ・リプレイ」が頻出して停止表示されるとともに、「リプレイ・リプレイ・オレンジ」及び「リプレイ・リプレイ・ベル」が一定の割合で停止表示されることで、「リプレイ・リプレイ・リプレイ」が停止表示される度にメダルを投入することなく次回遊技可能となるとともに、「リプレイ・リプレイ・オレンジ」及び「リプレイ・リプレイ・ベル」が停止表示された次回の一遊技が「入賞」が得られる特別遊技となる。
本実施形態では、図９における各役のメダルの配当及び図１０に示す抽せん確率によって、例えば、リプレイタイム（ＲＴ）における出玉率が「１」を超え、１ゲーム当りメダルが概ね２枚増加する、遊技者に有利な遊技状態となるように設定されている。
【０１１０】
さらに、このような遊技状態において、図１０に示すように「ボーナス役」も抽せん対象として設定されているため、リプレイタイム（ＲＴ）において、「ボーナス」の当せんが期待できる。
「ボーナス」に当せんし、前述したボーナス当せん告知部Ｌ２において、当該当せんが報知された場合には、「ボーナス」は前述のように、フラグ持ち越し可能であるため、遊技者は、敢えて「ボーナス」に対応する図柄の組合せ「赤７・赤７・青７」が停止表示されないように、いわゆる「ハズシ」を行い、ボーナス遊技への移行を回避しつつ、メダルの増加を図り、リプレイタイム（ＲＴ）を進行させることもできる。そして、リプレイタイムが規定の遊技回数で終了した後に、「赤７・赤７・青７」を停止表示させるように「目押し」を行い、ボーナス遊技に移行させることもできる。
これにより、遊技者は、リプレイタイムにおけるメダルの増加を無駄にすることなく、さらに、ボーナス遊技の利益も余すことなく享受でき、効率良くメダルを獲得できる。
【０１１１】
なお、停止図柄判定処理では、停止図柄の判定毎に、リプレイタイム（ＲＴ）における遊技回数を計数するとともに、計数された遊技回数が各々の特定役である小役Ａ〜小役Ｃに対応するリプレイタイムの遊技回数に達した場合には、通常遊技に移行する制御が行われている。
リプレイタイム（ＲＴ）の遊技回数は、ＲＡＭ１１ｂの所定の領域に設けられた遊技回数計数カウンタを、停止図柄の組合せの判定毎に更新することで、計数されるようになっている。なお、本実施形態では、リプレイタイム（ＲＴ）において、ボーナス役に当せんし、かつ、ボーナス図柄が停止表示されたときには、通常遊技に移行するようになっている。
この場合には、図８におけるゲームモードフラグを通常遊技に該当する「ビット０」に「１」をセットし、他のビットを「０」でクリアすることで、リプレイタイム（ＲＴ）を終了させ、通常遊技に移行するようになっている（図７）。
【０１１２】
次に、「入賞」として判定された場合のメダル払出処理（Ｓ１０）では、図９に示すように小役の種類に応じた配当数のメダルを払出すような制御が行われる。
具体的には、メダル払出処理では、図５に示すにホッパー駆動回路３２を制御することで、ホッパー３１内に設けられたメダル払出モータが駆動制御され、メダルを払出すようになっている。
そして、メダルが払出されることで、メダル検出部３３の所定のセンサから１枚メダルが払出される毎に１パルスの払出信号が出力されるようになっている。
制御部１０では、この払出信号を監視し、パルス数が各小役のメダル配当数になるまで、ホッパー駆動回路３２を制御するようになっている。
これにより、小役の種類に応じた所定数のメダルを払出すことができる。
以上のように、図６に示すフローチャートに基づき制御部１０において行われるメダル投入処理からメダル払出処理までの処理により、スロットマシン遊技における１ゲームをなすとともに、この１ゲームが繰り返されることで遊技が進行するようになっている。
【０１１３】
［演出制御部］
次に、報知手段として機能する演出制御部４０について説明する。
演出制御部４０は、制御部１０と同様に、ＣＰＵやＲＯＭ、ＲＡＭが搭載されたマイクロコンピュータであり、制御部１０から送信された制御コマンドに従って、サウンド回路４１及び表示器駆動回路４２を制御することで、表示器Ｌ１，ボーナス当せん告知部Ｌ２及びスピーカ９が所定の演出を行うように駆動制御される。
なお、制御部１０と演出制御部４０間の通信は、制御部１０から演出制御部４０への一方向性が担保された通信形態で構成されており、演出制御部４０における制御処理により、制御部１０が影響されないようになっている。
制御部１０は、１ゲーム毎に内部抽せんにおける当せん内容やゲームモードフラグの内容を含む制御コマンドを演出制御部４０に送信するようになっている。
その結果、演出制御部４０では、この制御コマンドを解読することで、制御部１０が管理する遊技状態に対応し、かつ、内部抽せんにおける当せん内容に即した演出を行うことが可能となっている。
【０１１４】
演出制御部４０は、例えば、通常遊技における内部抽せんにおいて、本発明の特定役に当せんした場合に、特定役に関する情報を、表示器Ｌ１を介して報知するようになっている。
具体的に、報知手段が作動する条件と報知態様について説明する。
図１４は、報知手段が作動することになる当せん内容と表示器Ｌ１の表示態様との関係を示す図であり、図１５及び図１６は、報知手段が作動した場合の表示器Ｌ１の表示態様の一例を示す図である。
例えば、図１４に示すように、少なくとも小役Ｃに当せんする抽せん対象であって、抽せん番号６、抽せん番号８、抽せん番号９、抽せん番号１０のいずれかに当せんする「当せんパターン１」（図１０参照）では、図１５（ａ）に示すように、少なくとも小役Ｃに対応する図柄の組合せを構成する図柄である「青７」を表示することもできる。
この場合において、小役Ｃは本発明に係る「所定の特定役」に該当することになるため、少なくとも小役Ｃに関する情報を報知するようになっている。
これにより、遊技者は、リプレイタイムＲＴ３を確実に確保するように「所定の特定役」である小役Ｃに対応する「青７・青７・青７」となる特定図柄の組合せを停止表示させることもできるし、小役Ｃ以外の他の特定役である小役Ａ及び／又は小役Ｃとに同時に当せんする「重複抽せん対象」として当せんしたと予測して、小役Ｃとリプレイタイムが継続する遊技回数が異なる他の小役Ａ又は小役Ｂに対応する特定図柄の組合せとなる「赤７・赤７・赤７」又は「黄７・黄７・黄７」を停止表示させるように試みることもできる。
【０１１５】
特に、前述したように、たとえ、「重複抽せん対象」として当せんした場合でも、特定役は、いずれか一の特定図柄の組合せのみしか停止表示できず、さらに、当せんしてない小役のフラグは無論「セット」されていないため、遊技者は、停止表示させる図柄の組合せを一つに決定しなければならない。
これにより、遊技回数が１５回継続するリプレイタイムを確実に獲得する余地を確保しつつ、儲けを重視し、遊技回数が１５０回継続するリプレイタイムや遊技回数が５０回継続するリプレイタイムの獲得を試みることができる。
【０１１６】
また、上記の「当せんパターン１」において、図１５（ｂ）に示すように、小役Ｃに対応する図柄の組合せを構成する図柄である「青７」と、小役Ａに対応する図柄の組合せを構成する図柄である「赤７」と、小役Ｂに対応する図柄の組合せを構成する図柄である「黄７」とを同時に表示することもできる。
この場合においては、少なくとも「所定の特定役」である小役Ｃに当せんしていることを示唆するために、小役Ｃに対応する図柄を他の特定役に対応する図柄より大きく表示したり、遊技者に対して最も手前側に表示したりするなど、少なくとも小役Ｃの当せんを知らしめるような報知を行うことが好ましい。
これにより、「所定の特定役」である小役Ｃに関する情報と、小役Ｃ以外の他の特定役である小役Ａと小役Ｂに関する情報を報知するため、「重複抽せん対象」に当せんした可能性を遊技者に意識させることができる。
このように、遊技者に、「重複抽せん対象」の当せんの可能性を示唆することで、他の特定役に対応する特定図柄の組合せを構成する各リールに表された図柄を「目押し」をさせるようにチャレンジさせることができる。
【０１１７】
また、演出制御部４０が、所定の遊技条件が成立後、当せんした特定役に関する情報のみを報知することもできる。
例えば、上記において、小役Ｃの当せんが示唆されたにも拘わらず、小役Ａに対応する図柄を「目押し」した結果、「赤７・赤７・赤７」が停止表示されず、「取りこぼし」となった場合において、その後の、例えば、１００ゲームの間に、いずれかの特定役である小役Ａ〜小役Ｃに当せんした場合には、図１５（ｃ）に示すように「ＣＨＡＮＣＥ」の演出表示とともに当せん内容の色の「７」を表示させることもできる。
なお、図１５（ｃ）は、上記の１００ゲームの間に、小役Ｃに単独で当せんする抽せん番号６に当せんした「当せんパターン２」の一例であり、小役Ａに単独で当せんする抽せん番号４に当せんした場合は、「赤７」が、また、重複抽せん対象として設定された抽せん番号７〜１０のいずれかに当せんした場合は、同時に当せんした特定役に対応する色の「７」が同時にすべて表示されることは言うまでも無い。また、重複抽せん対象に当せんした場合において、リプレイタイムが継続する遊技回数が最も多く、遊技者に有利な特定役に対応する色の「７」のみを表示することもできる。
【０１１８】
さらに、図１４に示すように、少なくとも小役Ｂと小役Ｃに当せんする抽せん対象であって、抽せん番号９、抽せん番号１０のいずれかに当せんする「当せんパターン３」（図１０参照）では、図１６（ａ）に示すように、少なくとも小役Ｂと小役Ｃに対応する図柄の組合せを構成する図柄である「黄７」と「青７」を表示することもできる。
この場合においては、小役Ｂと小役Ｃが本発明に係る「所定の特定役」に該当することになるため、少なくとも小役Ｂと小役Ｃに対応する図柄を表示するとともに、小役Ｂと小役Ｃの当せんを示唆するように、これらの図柄が小役Ａに対応する図柄「赤７」より大きく表示されている。
これにより、遊技者は、リプレイタイムＲＴ２又はリプレイタイムＲＴ３を確実に確保するように、小役Ｂに対応する「黄７・黄７・黄７」となる特定図柄の組合せ又は、小役Ｃに対応する「青７・青７・青７」となる特定図柄の組合せを停止表示させることもできるし、小役Ａに当せんしたと予測して、小役Ａに対応する特定図柄の組合せとなる「赤７・赤７・赤７」を停止表示させるように試みることもできる。
なお、この場合において、小役Ｂは「所定の特定役」であり、少なくとも小役Ｂに当せんしているため、リプレイタイムが継続する遊技回数が多く、遊技者に有利な特定役に対応する「黄７」のみを表示することもできる。
【０１１９】
また、例えば、図１４に示すように、少なくとも小役Ａに当せんする抽せん対象であって、抽せん番号４、抽せん番号７、抽せん番号８、抽せん番号１０のいずれかに当せんする「当せんパターン４」（図１０参照）では、図１６（ｂ）に示すように、内部抽せんが行われたスタートレバー４の操作時には、少なくともいずれかの「特定役」に当せんしたことを示す「白７」を表示する（当せん内容を含む情報の報知）とともに、小役Ａを取りこぼした際には、図１６（ｃ）に示すように、「赤７」を表示することで、少なくとも小役Ａに当せんしていたことを事後に報知することもできる。
そして、このような演出の後の、例えば、１００ゲーム間は、当せんした特定役に関する情報のみを報知してもよい。
なお、「白７」を表示した後、停止ボタン５の操作前に、「赤７」を表示することもできることは勿論である。
【０１２０】
このように、「所定の特定役」となる特定役は、重複抽せん対象として設定された抽せん対象を含み、複数の抽せん対象からなるグループにおいて、当せんする共通の特定役を言い、この共通の特定役に当せんしている限りにおいて、演出制御部４０が、少なくとも当該特定役に関する情報を報知するようになっている。
つまり、抽せん番号４、抽せん番号７、抽せん番号８、抽せん番号１０のグループでは、小役Ａが「所定の特定役」となり、抽せん番号５、抽せん番号７、抽せん番号９、抽せん番号１０のグループでは、小役Ｂが「所定の特定役」となり、抽せん番号６、抽せん番号８、抽せん番号９、抽せん番号１０のグループでは、小役Ｃが「所定の特定役」となり、抽せん番号７、抽せん番号１０のグループでは、小役Ａと小役Ｂが「所定の特定役」となり、抽せん番号８、抽せん番号１０のグループでは、小役Ａと小役Ｃが「所定の特定役」となり、抽せん番号９、抽せん番号１０のグループでは、小役Ｂと小役Ｃが「所定の特定役」となる。
そして、これらの各グループに共通する特定役に関する情報が少なくとも報知されることで、報知された共通の特定役に対応する遊技回数のリプレイタイムを確実に確保するか、当該グループに含まれる他の特定役に対応する遊技回数のリプレイタイムを獲得するかの選択ができるようになっている。
ここで、所定の特定役が２以上ある場合には、リプレイタイムが継続する遊技回数が多く、遊技者に有利な特定役に関する情報を少なくとも報知することもできる。
【０１２１】
なお、上記のような演出制御部４０による報知は、所定の特定役に当せんしない抽せん対象に当せんした場合、所定の特定役に関する情報を報知しないことが前提となっていることは勿論である。
これにより、所定の特定役に関する情報が報知された場合には、少なくとも所定の特定役に当せんする抽せん対象に当せんしたことが担保されるため、遊技者は、安心して、所定の特定役に対応した図柄の組合せを構成する「７」の「目押し」を行うことができる。
【０１２２】
以上説明したように、本実施形態のスロットマシン１では、所定の特定役に当せんする抽せん対象が、当該所定の特定役以外の他の特定役と同時に当せんする抽せん対象を少なくとも含み、複数設定されており、報知手段が、所定の特定役に当せんする抽せん対象に当せんした場合において、少なくとも当該所定の特定役に関する情報を報知する。その結果、遊技者は、この当せんが報知された場合には、少なくとも所定の特定役には当せんしていることを認識し、所定の特定役に対応する特定図柄の組合せを構成する各リールに表された図柄を「目押し」することで、特定図柄の組合せが停止表示され、所定の遊技回数まで継続するリプレイタイムに移行させることができる。
反対に、報知手段が所定の特定役が一以上の他の特定役と同時に当せんする「重複抽せん対象」として当せんした場合も少なくとも所定の特定役に関する情報を報知することを認識している遊技者は、一以上の他の特定役に当せんしている可能性も認識している。そして、重複抽せん対象に当せんしている場合には、所定の特定役より継続する遊技回数が多いリプレイタイムに移行する他の特定役に当せんしていることもある。
このような場合で、遊技者は、当せん内容が、重複抽せん対象と予測して、他の特定役に対応する特定図柄の組合せを構成する各リールに表された図柄を「目押し」をし、予測が的中していたときには、他の特定役に対応する特定図柄の組合せが停止表示され、所定の特定役より継続する遊技回数が多いリプレイタイムに移行させることもできる。
一方、予測がはずれていた場合には、他の特定役に対応する特定図柄の組合せは停止表示されず、なんら遊技価値が付与されない「ハズレ」となる。
このように、本発明では、報知された所定の遊技回数まで継続するリプレイタイムを確実に獲得するか、継続する遊技回数の異なるリプレイタイムの獲得にチャレンジするかの選択を遊技者に委ねることができ、従来のスロットマシンのように各々単独で当せんする場合と異なり、遊技者にとっては、儲けを重視する可能性を残しつつ、投資した遊技資金、手持ちの出玉や、残りの遊技時間等を考慮し、リスクを回避したリプレイタイムを確実に獲得する選択も可能となる。
【０１２３】
また、所定の特定役、他の特定役を問わず特定役は、当せんされる遊技限りにおいて有効な役であり、当該当せんが次回遊技に持ち越されることないため、当せんしたゲームにおいてのみ対応する特定図柄の組合せを停止表示しない限り、当該当せんが無効となるとともに、各特定役に対応する特定の図柄の組合せを構成する各リールに表された図柄が、各特定役に対応する特定の図柄の組合せが同時に停止表示されない所定の間隔をもって、各リールにおいて配置されているため、各特定図柄の組合せが同時に停止表示されることはなく、遊技者にとっては、スリル感のあるゲームを興趣することができる。
これにより、当せん内容が次回遊技に持ち越されるボーナス役の当せんと異なり、１回のゲームが遊技の結果を左右する重みのあるゲームとすることができ、遊技者は、緊張感のある遊技を堪能することができる。
【０１２４】
また、報知手段が行う報知は、視覚的の報知のみならず、聴覚的な報知も含まれる。当せん内容を含む情報の報知は、例えば、当せん内容に対応する図柄の組合せを構成する図柄を表示器Ｌ１で表示したり、当該図柄名称をスピーカ９により出力したりすることで行うことができる。
なお、この場合において、報知手段が行う当せん内容を含む情報の報知は、少なくとも当せん内容に対応する情報が含まれれば足り、当せんしていない他の抽せん対象の情報を同時に報知することもできる。
また、報知手段が所定の特定役に関する情報のみならず、他の特定役に関する情報をも報知する場合は、例えば、表示器Ｌ１で表示するときに、所定の特定役に対応する図柄を他の特定役に対応する図柄より大きく表示するなど、少なくとも所定の特定役の当せんを示唆するような報知を行うことが好ましい。
【０１２５】
以上、本発明のスロットマシンの好ましい実施形態について説明したが、本発明に係るスロットマシンは上述した実施形態にのみ限定されるものではなく、本発明の範囲で種々の変更実施が可能であることは言うまでもない。
例えば、上述した実施形態のスロットマシンでは、使用する遊技媒体がメダル（コイン）の場合を示したが、本発明に係るスロットマシンに使用可能な遊技媒体はメダルに限られず、例えば、パチンコ球と同様の遊技球を遊技媒体として使用することもできる。このような遊技球を使用して遊技可能なスロットマシンは、パチロット等とも呼ばれ、本発明のスロットマシンとして適用可能である。
【産業上の利用可能性】
【０１２６】
本発明は、遊技媒体として主にメダル（コイン）や遊技球（パチンコ球）を使用して遊技が行われるスロットマシン（回胴式遊技機）に利用することができ、特に、特定の図柄の停止表示により複数種類の規定回数のリプレイタイムに移行するスロットマシンに好適に利用することができる。
【図面の簡単な説明】
【０１２７】
【図１】本発明の一実施形態に係るスロットマシンを示す概略正面図である。
【図２】本発明の一実施形態に係るスロットマシンの内部構成を示す概略斜視図である。
【図３】本発明の一実施形態に係るスロットマシンの表示窓における有効ラインを示す図である。
【図４】本発明の一実施形態に係るスロットマシンの各リールの図柄配列と図柄番号との関係を示す図である。
【図５】本発明の一実施形態に係るスロットマシンの制御部を示すブロック図である。
【図６】本発明の一実施形態に係るスロットマシンの制御部における制御処理のフローチャートである。
【図７】本発明の一実施形態に係るスロットマシンの各リプレイタイムの移行条件と終了条件との関係を示す図である。
【図８】本発明の一実施形態に係るスロットマシンのゲームモード領域おける各ビットに対応する遊技状態の関係を示す図である。
【図９】本発明の一実施形態に係るスロットマシンの各役と対応する停止図柄の組合せと付与される遊技価値との関係を示す図である。
【図１０】本発明の一実施形態に係るスロットマシンの抽せん対象と遊技状態別の乱数テーブルとの関係を示す図である。
【図１１】本発明の一実施形態に係るスロットマシンの当せんフラグ領域における各ビットに対応する抽せん対象の関係を示す図である。
【図１２】本発明の一実施形態に係るスロットマシンの各リールに対応する図柄番号領域を示す図である。
【図１３】本発明の一実施形態に係るスロットマシンの各特定役に当せんしたときに選択させる右リールを停止制御する停止図柄テーブルの内容を示す図である。
【図１４】本発明の一実施形態に係るスロットマシンの当せんパターンに対応する報知態様との関係を示す図である。
【図１５】本発明の一実施形態に係るスロットマシンの報知手段による報知態様の第一の例を示す図である。
【図１６】本発明の一実施形態に係るスロットマシンの報知手段による報知態様の第二の例を示す図である。
【符号の説明】
【０１２８】
１  スロットマシン
２  前面パネル
３  表示窓
４  スタートレバー
５（５ａ，５ｂ，５ｃ）  停止ボタン
６  メダル投入口
７  ＢＥＴボタン
８  遊技メダル払出口
９  スピーカ
１０  制御部
２０  ドラムユニット
２１（２１ａ，２１ｂ，２１ｃ）  リール
３０  メダル払出装置
４０  演出制御部
【図１】
2009118992.tif 000003
【図２】
2009118992.tif 000004
【図３】
2009118992.tif 000005
【図４】
2009118992.tif 000006
【図５】
2009118992.tif 000007
【図６】
2009118992.tif 000008
【図７】
2009118992.tif 000009
【図８】
2009118992.tif 000010
【図９】
2009118992.tif 000011
【図１０】
2009118992.tif 000012
【図１１】
2009118992.tif 000013
【図１２】
2009118992.tif 000014
【図１３】
2009118992.tif 000015
【図１４】
2009118992.tif 000016
【図１５】
2009118992.tif 000017
【図１６】
2009118992.tif 000018